(57)【特許請求の範囲】
【請求項１】
電気通信の通話のためのユーザ情報をルーティングする電気通信システムであって、
前記通話のための発信接続および着信先番号を示す第７シグナリング方式（ＳＳ７）の初期アドレスメッセージ（ＩＡＭ）を受信し、前記発信接続に関する第１のデータ構造を入力して前記着信先番号に関する第２のデータ構造を識別し、該第２のデータ構造を入力して網間接続情報を識別し、該網間接続情報を示す制御命令を転送するように構成された処理システムと、
前記制御命令および前記ユーザ情報を受信し、それに応じて、前記網間接続情報および前記ユーザ情報を含むパケットを、該パケット内の前記網間接続情報に基づいてルーティングして転送する網間接続システムとを備え、
前記処理システムは、前記網間接続システムの外部にあることを特徴とする電気通信システム。
【請求項２】
前記第１のデータ構造は、発信中継回線に関する中継回線情報、および、発信中継グループに関する中継グループ情報を含む請求項１に記載の電気通信システム。
【請求項３】
前記発信接続は、時分割多重接続を含む請求項１に記載の電気通信システム。
【請求項４】
前記発信接続は、ＤＳ０接続を含む請求項１に記載の電気通信システム。
【請求項５】
前記ＳＳ７のＩＡＭは発信者番号を示し、前記処理システムは、前記発信者番号を処理して前記網間接続情報を識別する請求項１に記載の電気通信システム。
【請求項６】
前記処理システムは、前記ＳＳ７のＩＡＭに応じて、照会を転送し、応答を受信し、該応答を処理して前記網間接続情報を識別するよう構成される請求項１に記載の電気通信システム。
【請求項７】
前記処理システムは、前記ＳＳ７のＩＡＭに応じたＳＳ７アドレス完了メッセージ（ＡＣＭ）を転送するよう構成される請求項１に記載の電気通信システム。
【請求項８】
前記処理システムは、着信側の前記通話への応答に応じて、ＳＳ７応答メッセージ（ＡＮＭ）を転送するよう構成される請求項１に記載の電気通信システム。
【請求項９】
前記処理システムは、着信側の前記通話の終了に応じて、ＳＳ７開放メッセージ（ＲＥＬ）を転送するよう構成される請求項１に記載の電気通信システム。
【請求項１０】
前記網間接続情報は、非同期転送モード接続を示す請求項１に記載の電気通信システム。
【請求項１１】
電気通信の通話のためのユーザ情報をルーティングする電気通信システムの操作方法であって、
前記通話のための発信接続および着信先番号を示す、第７シグナリングシステム（ＳＳ７）の初期アドレスメッセージ（ＩＡＭ）を処理システムに受信し、
前記処理システムにおいて、前記発信接続に関する第１のデータ構造を入力して前記着信先番号に関する第２のデータ構造を識別し、該第２のデータ構造を入力して網間接続情報を識別し、
前記処理システムから、前記網間接続情報を示す制御命令を転送し、
網間接続システムにおいて、前記制御命令および前記ユーザ情報を受信し、それに応じて、前記網間接続情報および前記ユーザ情報を含むパケットを、該パケット内の前記網間接続情報に基づいてルーティングして転送する工程を含み、
前記処理システムは、前記網間接続システムの外部にあることを特徴とする通信システムの操作方法。
【請求項１２】
前記第１のデータ構造は、発信中継回線に関する中継回線情報、および、発信中継グループに関する中継グループ情報を含む請求項１１に記載の操作方法。
【請求項１３】
前記発信接続は、時分割多重接続を含む請求項１１に記載の操作方法。
【請求項１４】
前記発信接続は、ＤＳ０接続を含む請求項１１に記載の操作方法。
【請求項１５】
前記ＳＳ７のＩＡＭは発信者番号を示し、さらに、前記処理システムにおいて、前記発信者番号を処理して前記網間接続情報を識別する請求項１１に記載の操作方法。
【請求項１６】
さらに、前記処理システムにおいて、前記ＳＳ７のＩＡＭに応じて照会を転送し、該照会への応答を受信し、該応答を処理して前記網間接続情報を識別する請求項１１に記載の操作方法。
【請求項１７】
さらに、前記ＳＳ７のＩＡＭに応じて、前記処理システムからＳＳ７アドレス完了メッセージ（ＡＣＭ）を転送する請求項１１に記載の操作方法。
【請求項１８】
さらに、着信側の前記通話への応答に応じて、前記処理システムからＳＳ７応答メッセージ（ＡＮＭ）を転送する請求項１１に記載の操作方法。
【請求項１９】
さらに、着信側の前記通話の終了に応じて、前記処理システムからＳＳ７開放メッセージ（ＲＥＬ）を転送する請求項１１に記載の操作方法。
【請求項２０】
前記網間接続情報は、非同期転送モード接続を示す請求項１１に記載の操作方法。
【発明の詳細な説明】
発明の背景
１．発明の分野
本発明は、通信パスを確立するための電気通信シグナリングの処理に関し、特に、第７シグナリング方式（ＳＳ７）のシグナリングメッセージを処理して通信パスを確立することに関する。
２．従来技術の背景
電話の通話は通常、通話シグナリングと発信者情報の両方を含む。通話シグナリングは通常、交換機が用いて通話接続を確立するデータ（すなわち、着信先番号）である。通話接続は、発信者情報（すなわち音声）を伝達する。電気通信交換機は、通話接続を選択するために電気通信シグナリングを処理することができるプロセッサを含む。こういった交換機はまた、選択した接続を確立することができる交換マトリクスもまた含む。交換機内でシグナリングプロセッサと交換マトリクスを組み合わせると、問題がある。マトリクスによって、コストが余分にかかり、より複雑になる。交換マトリクスと組み合わせていないシグナリングプロセッサが必要である。
米国においては、電気通信シグナリンの形式で優勢なのは、第７シグナリング方式（ＳＳ７）である。さらに、同期式光ファイバネットワーク（Ｓｙｎｃｈｒｏｎｏｕｓ  Ｏｐｔｉｃａｌ  Ｎｅｔｗｏｒｋ：ＳＯＮＥＴ）接続を通じてすべてのタイプのトラフィックを高速で運送する非同期転送モード（ＡＴＭ）装置が開発中である。ＳＳ７シグナリングを処理しＡＴＭ接続を選択することができるシグナリングプロセッサが、必要とされている。
概要
本発明は、第７シグナリング方式（ＳＳ７）の電気通信シグナリングメッセージを処理して非同期転送モード（ＡＴＭ）仮想接続を選択し、選択したＡＴＭ仮想接続を示す制御メッセージを提供する、電気通信シグナリングプロセッサを含む。シグナリングプロセッサは、コンピュータシステム、データ構造、発信処理論理、および着信処理論理を含む。コンピュータシステムは、データ構造を記憶し、記憶した論理を実行する。通話制御データ構造は、個々の通話に関係する情報を含む。回線データ構造は、電気通信接続に関係する情報を含む。例外データ構造は、通話ルートの例外に関係する情報を含む。発信者番号データ構造は、発信者番号に関係する情報を含む。着信先番号データ構造は、着信先番号に関係する情報を含む。ルーティングデータ構造は、ルート選択に関係する情報を含む。発信処理論理は、コンピュータシステム内に記憶され、発信回線に関連するＳＳ７シグナリングメッセージからの情報を処理し、データ構造にアクセスして着信ＡＴＭ仮想接続を要求する。着信処理論理は、コンピュータシステム内に記憶され、発信処理からの要求に応答してＳＳ７シグナリングメッセージからの情報を処理して着信ＡＴＭ仮想接続を選択する。
図面の説明
図１は、本発明の１バージョンのブロック図である。
図２は、本発明の１バージョンのブロック図である。
図３は、本発明の１バージョンのブロック図である。
図４は、本発明の１バージョンのブロック図である。
図５は、本発明の１バージョンの論理図である。
図６は、本発明の１バージョンの論理図である。
図７は、本発明の１バージョンにおいて用いられる論理テーブルである。
図８は、本発明の１バージョンにおいて用いられる論理テーブルである。
図９は、本発明の１バージョンにおいて用いられる論理テーブルである。
図１０は、本発明の１バージョンにおいて用いられる論理テーブルである。
図１１は、本発明の１バージョンにおいて用いられる論理テーブルである。
図１２は、本発明の１バージョンにおいて用いられる論理テーブルである。
図１３は、本発明の１バージョンにおいて用いられる論理テーブルである。
図１４は、本発明の１バージョンにおいて用いられる論理テーブルである。
図１５は、本発明の１バージョンにおいて用いられる論理のＳＤＬ（仕様記述言語）図である。
図１６Ａ−１６Ｐは、本発明の１バージョンにおいて用いられる論理のＳＤＬ図である。
図１７Ａ−１７Ｅは、本発明の１バージョンにおいて用いられる論理のＳＤＬ図である。
図１８Ａ−１８Ｆは、本発明の１バージョンにおいて用いられる論理のＳＤＬ図である。
図１９Ａ−１９Ｃは、本発明の１バージョンにおいて用いられる論理のＳＤＬ図である。
図２０Ａ−２０Ｄは、本発明の１バージョンにおいて用いられる論理のＳＤＬ図である。
図２１Ａ−２１Ｄは、本発明の１バージョンにおいて用いられる論理のＳＤＬ図である。
図２２Ａ−２２Ｑは、本発明の１バージョンにおいて用いられる論理のＳＤＬ図である。
図２３Ａ−２３Ｔは、本発明の１バージョンにおいて用いられる論理のＳＤＬ図である。
図２４Ａ−２４Ｍは、本発明の１バージョンにおいて用いられる論理のＳＤＬ図である。
図２５Ａ−２５Ｂは、本発明の１バージョンにおいて用いられる論理のＳＤＬ図である。
図２６Ａ−２６Ｂは、本発明の１バージョンにおいて用いられる論理のＳＤＬ図である。
図２７Ａ−２７Ｄは、本発明の１バージョンにおいて用いられる論理のＳＤＬ図である。
図２８Ａ−２８Ｂは、本発明の１バージョンにおいて用いられる論理のＳＤＬ図である。
図２９Ａ−２９Ｃは、本発明の１バージョンにおいて用いられる論理のＳＤＬ図である。
図３０Ａ−３０Ｌは、本発明の１バージョンにおいて用いられる論理のＳＤＬ図である。
図３１Ａ−３１Ｄは、本発明の１バージョンにおいて用いられる論理のＳＤＬ図である。
図３２Ａ−３２Ｂは、本発明の１バージョンにおいて用いられる論理のＳＤＬ図である。
詳細な説明
図１は、本発明の１バージョンを示す。通話／接続マネージャ（ＣＣＭ）１００、通信デバイス１１０、および通信デバイス１１２を示す。通信デバイス１１０は、接続１３０を通じて通信デバイス１１２に接続されている。通信デバイス１１２は、接続１３１、１３２、および１３３を通じて他の通信デバイス（図示せず）に接続されている。ＣＣＭ１００は、リンク１４０を通じて通信デバイス１１０にリンクし、リンク１４１を通じて通信デバイス１１２にリンクしている。ＣＣＭ１００は、リンク１４２を通じて他の通信デバイス（図示せず）にリンクしている。
通信デバイス１１０は、電気通信シグナリングを通じて通信を促進するものであればいかなるデバイスであってもよい。例として、交換機、サービスプラットフォーム、および契約者宅内設備（ＣＰＥ）が含まれる。交換機の例として、Ｎｏｒｔｅｌ  ＤＭＳ−２５０およびＬｕｃｅｎｔ  ５ＥＳＳがある。サービスプラットフォームの例として、音声メッセージングやテレホンカードの使用等の、サービスを行う音声応答ユニットやホストコンピュータがある。ＣＰＥの例として、ＰＢＸデバイス、ＬＡＮデバイス、コンピュータ、電話、および交換機がある。これらすべてのデバイスは、当業者には公知である。
通信デバイス１１２は、制御命令に応答して通信パスを確立することができるものであればいかなるデバイスであってもよい。例として、交換機やＡＴＭ網間接続マルチプレクサがある。接続１３０は、通信デバイス１１０と１１２との間の通信をサポートするものであればいかなる接続であってもよい。例として、ＤＳ３、ＤＳ１、ＤＳ０、Ｅ３、Ｅ１、およびＥ０等の時分割多重（ＴＤＭ）接続が含まれる。他の例として、ＳＯＮＥＴ、ＳＤＨ、ＡＴＭ、ＣＤＭＡ、ＧＳＭ、ＰＣＳ、およびセルラー接続が含まれる。接続１３１−１３３は接続１３０と同様であるが、接続１３０と同じである必要はない。これらすべての接続は、当業者には公知である。
ＣＣＭ１００は、電気通信シグナリングプロセッサである。第７シグナリング方式（ＳＳ７）は、電気通信シグナリングの形式としてよく知られたものである。ＳＳ７シグナリングは、ユーザ用の通信パスの確立を促進する通信デバイスの間で交換される情報を含む。通信パスは通常、通信デバイス間の１組の接続からなっている。シグナリングプロセッサは、シグナリングを受け取り、シグナリングを処理して接続を選択し、少なくとも１つの通信デバイスに制御命令を送信して接続を実行する。ＣＣＭ１００についての詳細な説明は、以下に行う。
リンク１４０−１４２は、ＣＣＭおよび通信デバイスの間でシグナリングや制御メッセージを転送することができるものであればいかなるリンクであってもよい。例として、ＳＳ７、ＩＳＤＮ、またはイーサネット上でのＵＤＰ／ＩＰ（またはＴＣＰ／ＩＰ）が含まれる。場合によっては、バス構造もまた用いることができる。わかりやすくするために図示していないが、ルータ、ＳＴＰ、またはシグナリング変換器等の中間デバイスをいくつか用いて、リンクを通じてシグナリングをルーティングしてもよい。これらのデバイスおよびリンクは、当業者には公知である。
本発明は、以下のように動作する。通信デバイス１１０は、リンク１４０を通じてシグナリングを送信することによって通信パスを要求する。シグナリングは、ＣＣＭ１００によって受け取られ、必要であれば、ＳＳ７に変換される。ＣＣＭ１００は、シグナリングを処理して、例えば接続１３２等の接続を選択する。ＣＣＭ１００は、接続１３０および１３２を識別する制御命令を生成し、それをリンク１４１を通じて通信デバイス１１２に送信する。
通信デバイス１１０は代表的には、通信デバイス１１２との接続（この接続を接続１３０で表す）を起動する。ＣＣＭ１００はまた、この接続を選択して通信デバイスに接続１３０を用いるように命令することもできる。通信デバイス１１２は、ＣＣＭ１００からの制御命令に応答して、通信パスを接続１３０から接続１３２に拡張する。ＣＣＭ１００はまた、リンク１４２を通じて更なるシグナリングを送信して、通信パスの更なる拡張を促進してもよい。ＣＣＭ１００の処理の結果、通信デバイス１１０から通信デバイス１１２を通じて接続１３０および１３２にわたる通信パスが確立される。
図２は、本発明の特別な１バージョンを示す。もっとも、他のバージョンもまた考えられる。ＣＣＭ２００、通信デバイス２１０、ＡＴＭ相互作用ユニット（ＩＷＵ）２１２、およびＡＴＭ交差接続２２０を示す。通信デバイス２１０は、接続２３０によってＡＴＭ  ＩＷＵ２１２に接続されている。ＡＴＭ  ＩＷＵ２１２は、接続２３４によってＡＴＭ交差接続２２０に接続されている。ＡＴＭ交差接続２２０は、接続２３１、２３２、および２３３を通じて他のデバイス（図示せず）に接続されている。ＣＣＭ２００は、リンク２４０によって通信デバイス２１０に、リンク２４１によってＡＴＭ  ＩＷＵに、そしてリンク２４２によって他のデバイスにリンクされている。
これらの要素は、図１の対応する参照番号のついた上述のものと同様であるが、通信デバイス１１２に代わりに、ＡＴＭ  ＩＷＵ２１２、ＡＴＭ交差接続２２０、および接続２３４が用いられている点が異なる。更に、通信デバイス２１０および接続２３０は、ＡＴＭを用いていない。ＡＴＭ  ＩＷＵ２１２は、ＣＣＭ２００からの制御命令に応答して非ＡＴＭ通信とＡＴＭ通信との間を接続する（変換する）デバイスである。ＡＴＭ交差接続２２０は、前もって供給された複数のＡＴＭ仮想接続をＡＴＭ  ＩＷＵ２１２に提供するデバイスである。接続２３１−２３３はそれぞれ、仮想接続を保持する。ＡＴＭ交差接続２２０の例としては、ＮＥＣモデル２０がある。接続２３４はＡＴＭ接続である。
動作時において、非ＡＴＭ通信デバイス２１０は、リンク２４０を通じてシグナリングを送信することによって通信パスを要求する。ＣＣＭ２００は、シグナリングを受け取って処理し、ＡＴＭ仮想接続を選択する。このＡＴＭ仮想接続は、ＡＴＭ交差接続２２０を通じて適当な着信先に既に供給されている。例えば、仮想接続「Ａ」は、ＡＴＭ交差接続２２０によって相互接続された接続２３４および２３２内のパスを含み、仮想接続「Ｂ」は、ＡＴＭ交差接続２２０によって相互接続された接続２３４および２３３内のパスを含む場合があるかもしれない。ＣＣＭ２００は、仮想接続「Ｂ」を選択して、接続２３０および仮想接続「Ｂ」を識別する制御命令をＡＴＭ  ＩＷＵ２１２に提供する。
ＡＴＭ  ＩＷＵ２１２は、接続２３０上の非ＡＴＭ通信と仮想接続「Ｂ」上のＡＴＭ通信との間を接続する。ＣＣＭ２００はまた、リンク２４２を通じて更なるシグナリングを送信して、さらなる通話の拡張を促進してもよい。その結果、通信デバイス２１０からＡＴＭ  ＩＷＵ２１２およびＡＴＭ交差接続２２０を通じて接続２３０、２３４、および２３３内に通信パスが確立される。
ＣＣＭ２００、ＡＴＭ  ＩＷＵ２１２、およびＡＴＭ交差接続２２０は、ＡＴＭ仮想接続を多数の着信先に提供することができる。本発明は、通話ごとを基準として多数の着信先への接続を選択し実行することができる、ということを指摘することが重要である。ＣＣＭ２００は、通話ごとを基準としてＡＴＭ交差接続や交換機を制御することなく、これを行うことができる。ＡＴＭ交差接続２２０は、ＡＴＭ接続を多数の着信先に提供するように既に構成されている。ＣＣＭ２００は、ＡＴＭ接続を選択し、ＡＴＭ  ＩＷＵ２１２に非ＡＴＭ接続とＡＴＭ接続との間を接続させることによって、通話のルーティングを行うことができる。
一実施例において、通信デバイス２１０は従来技術の回線交換機であり、接続２３０は、通話のために交換機が起動するＳＤ０である。交換機（デバイス２１０）は、リンク２４０を通じてＣＣＭ２００にＳＳ７初期アドレスメッセージ（ＩＡＭ）を送信する。ＣＣＭ２００は、例えば着信先番号を調べることによって、ＩＡＭを処理する。ＣＣＭ２００は次に、ＡＴＭ交差接続２２０を通じて適当な着信先へと供給される仮想接続を表す、ＡＴＭ仮想パス識別子／仮想チャネル識別子（ＶＰＩ／ＶＣＩ）を選択する。ＣＣＭ２００は、ＤＳ０および選択したＶＰＩ／ＶＣＩを識別したリンク２４１を通じて、ＡＴＭ  ＩＷＵ２１２に制御メッセージを送信する。ＣＣＭ２００はまた、リンク２４２を通じて、着信先に別のＩＡＭを送信する。ＡＴＭ  ＩＷＵ２１２は、制御命令に応答してＤＳ０と選択したＶＰＩ／ＶＣＩとの間を接続する。網間接続は、ＤＳ０をＡＴＭセルに変換することおよびＶＰＩ／ＶＣＩをセルのヘッダに配置することを含む。その結果、交換機（デバイス２１０）からＡＴＭ  ＩＷＵ２１２およびＡＴＭ交差接続２２０を通じてＤＳ０および選択したＶＰＩ／ＶＣＩにわたる通信パス（接続２３０、２３４、および２３２）が確立される。
反対方向の通話については、ＣＣＭ２００はリンク２４２を通じてＩＡＭを受け取り、通信デバイス２１０へのＤＳ０を選択する。その通話上で用いられるＶＰＩ／ＶＣＩおよび選択したＤＳ０は、リンク２４１を通じてＡＴＭ  ＩＷＵ２１２に提供される。ＡＴＭ  ＩＷＵ２１２は、制御命令に応答してＶＰＩ／ＶＣＩと選択したＤＳ０との間を接続する。その結果、交換機（デバイス２１０）までＡＴＭ交差接続２２０およびＡＴＭ  ＩＷＵ２１２を通じてＶＰＩ／ＶＣＩおよび選択したＤＳ０にわたる通信パス（接続２３２、２３４、および２３０）が確立される。上の段落と組み合わせると、２つの交換機の間で２つのＡＴＭ  ＩＷＵおよびＡＴＭ交差接続を通じてどのようにエンドツーエンドのＡＴＭ接続が提供されるかがわかる。ＣＣＭは、ＶＰＩ／ＶＣＩおよび出力ＤＳ０を選択する。第１のＡＴＭ  ＩＷＵは、入力ＤＳ０とＶＰＩ／ＶＣＩとの間を接続する。第２のＡＴＭ  ＩＷＵは、ＶＰＩ／ＶＣＩと出力ＤＳ０との間を接続する。
交換機に、通話ごとを基準として選択される適当な着信先へのＡＴＭ仮想接続を設けることができる、ということを指摘することが重要である。これは、通話ごとを基準としてＡＴＭ交換マトリクスや交差接続を制御する必要なく行うことができる。
ＡＴＭ網間接続装置
ＡＴＭ  ＩＷＵの好適な実施例を以下に述べる。図３は、本発明に好適なＡＴＭ  ＩＷＵであるＡＴＭ網間接続マルチプレクサ（ｍｕｘ）の一実施例を示す。本発明の要求事項をサポートする他のバージョンのＡＴＭ  ＩＷＵおよびｍｕｘもまた適用可能である。制御インターフェース３００、ＯＣ−３インターフェース３０５、ＤＳ３インターフェース３１０、ＳＤ１インターフェース３１５、ＤＳ０インターフェース３２０、デジタル信号プロセッサ３２５、ＡＴＭ適合層（ＡＡＬ）３３０、およびＯＣ−３インターフェース３５５を示す。
制御インターフェース３００は、ＣＣＭからのメッセージを受け入れる。特に制御インターフェース３００は、実行のためにＤＳ０／仮想接続をＡＡＬ３３０に割り当てる。制御インターフェース３００は、ＤＳ０  ３２０についての命令を有する制御メッセージをＣＣＭから受け取ってもよい。これらの命令は、ＳＤ０を１）他のＤＳ０に、２）デジタル信号プロセッサ３２５に、または３）ＡＡＬ３３０に（デジタル信号プロセッサ３２５を迂回して）接続するものであってもよい。制御インターフェース３００は、デジタル信号処理３２５についての命令を有する制御メッセージをＣＣＭから受け入れてもよい。このような命令の例として、ある特定の接続上のエコーキャンセラをディセーブルすることがある。
ＯＣ−３インターフェース３０５は、ＯＣ−３フォーマットを受け入れてＤＳ３への変換を行う。ＤＳ３インターフェース３１０は、ＤＳ３フォーマットを受け入れてＤＳ１への変換を行う。ＤＳ３インターフェース３１０は、ＤＳ３を、ＯＣ−３インターフェース３０５からまたは外部接続から受け入れることができる。ＤＳ１インターフェース３１５は、ＤＳ１フォーマットを受け入れてＳＤ０への変換を行う。ＤＳ１インターフェース３１５は、ＤＳ１を、ＤＳ３インターフェース３１０からまたは外部接続から受け入れることができる。ＤＳ０インターフェース３２０は、ＤＳ０フォーマットを受け入れてデジタル信号プロセッサ３２５またはＡＡＬ３３０へのインターフェースを提供する。実施例によっては、ＤＳ０インターフェース３２０は、ある特定のＤＳ０を直接相互接続することができる。これは、同じｍｕｘに入りそこから出ていく通話の場合であろう。これはまた、交換機による導通試験を促進するのに有用である。ＯＣ−３インターフェース３３５は、ＡＡＬ３３０からのＡＴＭセルを受け入れて、それらを、通常接続を通じて、交差接続に送信するように機能する。
デジタル信号プロセッサ３２５は、制御インターフェース３００を通じて受け取る制御命令に応答して様々なデジタル処理をある特定のＤＳ０に適用するように機能する。デジタル処理の例として、トーン検出、トーン送信、ループバック、音声検出、音声メッセージング、エコーキャンセレーション、圧縮、および暗号化が含まれる。実施例によっては、デジタル信号処理３２５が導通試験を取り扱ってもよい。例えば、ＣＣＭはｍｕｘに、導通試験用のループバックを提供してある通話についてエコーキャンセレーションを適用するように命令してもよい。デジタル信号プロセッサ３２５は、ＡＡＬ３３０に接続されている。説明したように、ＤＳ０インターフェース３２０からのＤＳ０は、デジタル信号処理３２５を迂回してＡＡＬ３３０に直接結合されてもよい。
ＡＡＬ３３０は、集中サブ層とセグメンテーションおよび再組み立て（ＳＡＲ）層の両方を含む。ＡＡＬ３３０は、ＤＳ０インターフェース３２０またはデジタル信号プロセッサ３２５からＤＳ０フォーマットのユーザ情報を受け入れて、その情報をＡＴＭセルに変換するように機能する。ＡＡＬは当業者には公知であり、ＡＡＬに関する情報は、国際電気通信連合（ＩＴＵ）文書Ｉ．３６３によって提供されている。音声用ＡＡＬはまた、その参照によって本出願に組み込まれる「Ｃｅｌｌ  Ｐｒｏｃｅｓｓｉｎｇ  ｆｏｒ  Ｖｏｉｃｅ  Ｔｒａｎｓｍｉｓｓｉｏｎ」という名称の１９９５年２月２８日出願の米国特許出願番号第０８／３９５，７４５号においても説明されている。ＡＡＬ３３０は、それぞれの通話について、制御インターフェース３００から仮想パス識別子（ＶＰＩ）および仮想チャネル識別子（ＶＣＩ）を取得する。ＡＡＬ３３０はまた、それぞれの通話について、ＤＳ０（または、Ｎ×６４通話のセルについて、ＤＳ０）のアイデンティティを取得する。ＡＡＬ３３０は次に、識別したＤＳ０と識別したＡＴＭ仮想接続との間でユーザ情報を変換する。必要ならば、割り当てが実行されたという承認を、ＣＣＭに送り戻してもよい。ビットレートが６４ｋｂｉｔ／秒の倍数である通話は、Ｎ×６４通話として知られている。必要ならば、ＡＡＬ３３０は、Ｎ×６４通話について制御インターフェース３００を通じて制御メッセージを受け入れることができてもよい。
上述のように、ｍｕｘはまた、反対方向−−ＯＣ−３インターフェース３３５からＤＳ０インターフェース３２０へ−−の通話も取り扱う。このトラフィックは、他のｍｕｘによってＡＴＭに変換され、選択されたＶＰＩ／ＶＣＩを通じて交差接続によってＯＣ−３  ３３５にルーティングされる。制御インターフェース３００は、選択したＶＰＩ／ＶＣＩを選択した出力のＤＳ０に割り当てたＡＡＬ３３０を提供する。ｍｕｘは、セルのヘッダに選択したＶＰＩ／ＶＣＩを有するＡＴＭセルをＤＳ０フォーマットに変換し、選択した出力のＤＳ０接続に供給する。
ＶＰＩ／ＶＣＩの処理技術は、その参照によって本出願に組み込まれる「Ｔｅｌｅｃｏｍｍｕｎｉｃａｔｉｏｎｓ  Ｓｙｓｔｅｍ  ｗｉｔｈ  ａ  Ｃｏｎｎｅｃｔｉｏｎ  Ｐｒｏｃｅｓｓｉｎｇ  Ｓｙｓｔｅｍ」という名称の１９９６年５月２８日出願の米国特許出願第０８／６５３，８５２号に開示されている。
ＤＳ０接続は双方向であり、ＡＴＭ接続は通常単方向である。その結果、それぞれのＤＳ０について、反対方向の２つの仮想接続が通常必要である。説明したように、これは、最初のＶＰＩ／ＶＣＩと一対になった反対方向のＶＰＩ／ＶＣＩとの交差接続を供給することによって行うことができる。ｍｕｘは、それぞれの通話上に、特定の対になったＶＰＩ／ＶＣＩを自動的に呼び出して、通話上の双方向のＤＳ０とマッチする双方向の仮想接続を提供するように構成されている。
シグナリングプロセッサ
シグナリングプロセッサは、通話／接続マネージャ（ＣＣＭ）と呼ばれ、電気通信通話シグナリングおよび制御メッセージを処理して、通話についての通信パスを確立する接続を選択する。好適な実施例において、ＣＣＭはＳＳ７シグナリングを処理して通話についての接続を選択する。
接続の選択に加えて、ＣＣＭは、通話処理の場面における多くの他の機能を果たす。ルーティングを制御して実際の接続を選択することができるだけでなく、発信者を認証したり、エコーキャンセラを制御したり、課金情報を生成したり、インテリジェントネットワーク機能を呼び出したり、遠隔データベースにアクセスしたり、トラフィックを管理したり、ネットワーク負荷のバランスをとることもできる。当業者であれば、以下に説明するＣＣＭをどのように上記実施例において動作するよう適合させることができるかを理解しよう。
図４は、ＣＣＭの１バージョンを示す。他のバージョンもまた考えられる。図４の実施例において、ＣＣＭ４００は、ＤＳ０とＶＰＩ／ＶＣＩとの間の接続を行うＡＴＭ網間接続マルチプレクサ（ｍｕｘ）を制御する。しかし、他の実施例においては、ＣＣＭは他の通信デバイスや接続を制御してもよい。
ＣＣＭ４００は、シグナリングプラットフォーム４１０、制御プラットフォーム４２０、およびアプリケーションプラットフォーム４３０を含む。プラットフォーム４１０、４２０、および４３０のそれぞれは、他のプラットフォームに結合されている。
シグナリングプラットフォーム４１０は、外部のＳＳ７システム−−特にメッセージ転送部（ＭＴＰ）、ＩＳＤＮユーザ部（ＩＳＵＰ）、シグナリング接続制御部（ＳＣＣＰ）、インテリジェントネットワークアプリケーション部（ＩＮＡＰ）、およびトランザクションケイパビリティアプリケーション部（ＴＣＡＰ）を有するシステム−−に結合されている。制御プラットフォーム４２０は、外部のｍｕｘ制御、エコー制御、リソース制御、課金、および動作に結合されている。
シグナリングプラットフォーム４１０は、ＭＴＰレベル１−３、ＩＳＵＰ、ＴＣＡＰ、ＳＣＣＰ、およびＩＮＡＰの機能性を含み、ＳＳ７メッセージを送受信するように機能する。ＩＳＵＰ、ＳＣＣＰ、ＩＮＡＰ、およびＴＣＡＰの機能性は、ＭＴＰを用いてＳＳ７メッセージを送受信する。この機能性をまとめて「ＳＳ７スタック」と呼ぶが、これはよく知られている。当業者がＳＳ７スタックを構成するのに必要なソフトウェアは、例えばTrillium Companyから市販されている。
制御プラットフォーム４２０は、ｍｕｘインターフェース、エコーインターフェース、リソース制御インターフェース、課金インターフェース、および動作インターフェースを含む様々な外部インターフェースからなっている。ｍｕｘインターフェースは、少なくとも１つのｍｕｘとメッセージを交換する。これらのメッセージは、ＤＳ０からＶＰＩ／ＶＣＩへの割り当て、承認、およびステータス情報を含む。エコー制御インターフェースは、エコー制御システムとメッセージを交換する。エコー制御システムと交換されるメッセージには、ある特定のＤＳ０、承認、およびステータス情報上のエコーキャンセレーションをイネーブルまたはディセーブルする命令を含んでもよい。
リソース制御インターフェースは、外部リソースとメッセージを交換する。このようなリソースの例として、導通試験、暗号化、圧縮、トーン検出／送信、音声検出、および音声メッセージングを実行するデバイスがある。リソースと交換されるメッセージは、そのリソースをある特定のＤＳ０、承認、およびステータス情報に適用せよという命令である。例えば、メッセージは、導通試験リソースにループバックを提供するよう、または導通試験用トーンを送信および検出するよう命令してもよい。
課金インターフェースは、関係する課金情報を課金システムに転送する。通常の課金情報は、通話の当業者、通話の時点、および通話に適用する何らかの特別な特徴、を含む。動作インターフェースは、ＣＣＭ４００の構成および制御を考慮する。当業者であれば、制御プラットフォーム４２０内のインターフェース用のソフトウェアをどのように作成するかを理解しよう。
アプリケーションプラットフォーム４３０は、接続を選択するために、シグナリングプラットフォーム４１０からのシグナリング情報を処理するように機能する。選択した接続のアイデンティティは、ｍｕｘインターフェース用の制御プラットフォーム４２０に提供される。アプリケーションプラットフォーム４３０は、認証、翻訳、ルーティング、通話制御、例外、スクリーニング、およびエラー取り扱いについて責任を負う。ｍｕｘについての制御要求事項を提供するのに加えて、アプリケーションプラットフォーム４３０はまた、エコー制御およびリソース制御の要求事項も制御プラットフォーム４２０の適当なインターフェースに提供する。更に、アプリケーションプラットフォーム４３０は、シグナリングプラットフォーム４１０が送信するシグナリング情報を生成する。シグナリング情報は、外部ネットワーク要素へのＩＳＵＰ、ＩＮＡＰ、またはＴＣＡＰメッセージであってもよい。それぞれの通話についての関係する情報は、その通話についての通話制御ブロック（ＣＣＢ）に記憶される。ＣＣＢは、通話のトラッキングおよび課金に用いることができる。
アプリケーションプラットフォーム４３０は、ＩＴＵが定義する基本通話モデル（ＢＣＭ）に略適合して動作する。ＢＣＭの一例は、それぞれの通話を取り扱うのに作り出される。ＢＣＭは、発信プロセスおよび着信プロセスを含む。アプリケーションプラットフォーム４３０は、サービス制御機能（ＳＣＦ）を呼び出すのに用いるサービス交換機能（ＳＳＦ）を含む。通常、ＳＣＦはサービス制御点（ＳＣＰ）内に含まれる。ＳＣＦは、ＴＣＡＰまたはＩＮＡＰメッセージで照会される。発信または着信プロセスは、ＳＳＦ機能を経由してインテリジェントネットワーク（ＩＮ）機能性を有する遠隔データベースにアクセスする。
アプリケーションプラットフォーム４３０用のソフトウェアの要求事項は、ＩＴＵ−Ｔ  Ｚ．１００に定義される仕様記述言語（ＳＤＬ）において作成することができる。ＳＤＬは、Ｃコードに変換することができる。環境を確立するのに、必要に応じてさらにＣ＋＋およびＣコードを付け加えることができる。
ＣＣＭ４００は、コンピュータ上にロードされた上述のソフトウェアからなっていてもよい。コンピュータは、ソラリス・オペレーティング・システムおよび従来技術のデータベースシステムを用いた統合マイクロ製品（ＩＭＰ）ＦＴ−Ｓｐａｒｃ６００であってもよい。ユニックス・オペレーティング・システムのマルチスレッディング能力を利用することが望ましいかもしれない。
図４から、アプリケーションプラットフォーム４３０がシグナリング情報を処理してたくさんのシステムを制御し通話接続およびサービスを促進する、ということがわかる。ＳＳ７シグナリングは、シグナリングプラットフォーム４１０を通じて外部構成要素と交換され、制御情報は制御プラットフォーム４２０を通じて外部システムと交換される。ＣＣＭ４００は、交換マトリクスに結合された交換機ＣＰＵには内蔵されていない方が好ましい。ＳＣＰとは異なり、ＣＣＭ４００は、ＴＣＡＰ照会とは独立してＩＳＵＰメッセージを処理することができる。
ＳＳ７メッセージ宛先
ＳＳ７メッセージはよく知られている。様々なＳＳ７メッセージの宛先が一般に用いられている。当業者であれば、以下のメッセージ宛先を熟知している。
ＡＣＭ    −−  アドレス完了メッセージ
ＡＮＭ    −−  応答メッセージ
ＢＬＯ    −−  ブロッキング
ＢＬＡ    −−  ブロッキング承認
ＣＰＧ    −−  通話進行
ＣＲＧ    −−  料金情報
ＣＧＢ    −−  回線グループブロッキング
ＣＧＢＡ  −−  回線グループブロッキング承認
ＧＲＳ    −−  回線グループリセット
ＧＲＡ    −−  回線グループリセット承認
ＣＧＵ    −−  回線グループアンブロッキング
ＣＧＵＡ  −−  回線グループアンブロッキング承認
ＣＱＭ    −−  回線グループ照会
ＣＱＲ    −−  回線グループ照会応答
ＣＲＭ    −−  回線予約メッセージ
ＣＲＡ    −−  回線予約承認
ＣＶＴ    −−  回線認証試験
ＣＶＲ    −−  回線認証応答
ＣＦＮ    −−  混乱
ＣＯＴ    −−  導通
ＣＣＲ    −−  導通チェック要求
ＥＸＭ    −−  終了メッセージ
ＩＮＦ    −−  情報
ＩＮＲ    −−  情報要求
ＩＡＭ    −−  初期アドレス
ＬＰＡ    −−  ループバック承認
ＰＡＭ    −−  パス
ＲＥＬ    −−  開放
ＲＬＣ    −−  開放完了
ＲＳＣ    −−  リセット回線
ＲＥＳ    −−  再開
ＳＵＳ    −−  保留
ＵＢＬ    −−  アンブロッキング
ＵＢＡ    −−  アンブロッキング承認
ＵＣＩＣ  −−  回線識別コード不備
ＣＣＭテーブル
通話処理は通常、２つの面を含む。第１に、発信通話処理によって、入力、すなわち「発信」接続が認識される。例えば、通話がネットワークに入るのに用いる初期接続は、そのネットワークにおける発信接続である。第２に、着信通話処理によって、出力すなわち「着信」接続が選択される。例えば、着信接続は、その通話をネットワークを通じて拡張するために発信接続と結合される。これら通話処理の２つの面を、通話の発信側および通話の着信側と呼ぶ。
図５は、アプリケーションプラットフォーム４３０がＢＣＭを実行するのに用いられるデータ構造を示す。これは、様々な方法で互いを示す一連のテーブルを通じて行われる。ポインタは通常、次の機能および次のインデックス指示からなる。次の機能は、次のテーブルを示し、次のインデックスは、そのテーブル内のエントリーまたはエントリーの範囲を示す。データ構造は、中継回線（ＴＲＫ  ＣＫＴ）テーブル５００、中継グループテーブル５０２、例外テーブル５０４、ＡＮＩテーブル５０６、着信先番号テーブル５０８、およびルーティングテーブル５１０を有する。
中継回線テーブル５００は、接続に関する情報を含む。通常、接続はＤＳ０またはＡＴＭ接続である。最初、中継回線テーブル５００を用いて発信接続に関する情報を検索する。後に、このテーブルを用いて、着信接続に関する情報を検索する。発信接続処理中、中継回線テーブル５００内の中継グループ番号が、中継グループテーブル５０２内の発信接続に適用可能な中継グループを示す。
中継グループテーブル５０２は、発信および着信中継グループに関する情報を含む。発信接続処理中、中継グループテーブル５０２が、発信接続用の中継グループに関係する情報を提供し、通常例外テーブル５０４を示す。
例外テーブル５０４は、通話のルーティングその他取り扱いに影響を与えるかもしれない通話に関係する様々な例外状態を識別するのに用いられる。通常、例外テーブル５０４は、ＡＮＩテーブル５０６を示す。しかし例外テーブル５０４は、中継グループテーブル５０２、着信先番号テーブル５０８、またはルーティングテーブル５１０を直接示してもよい。
ＡＮＩテーブル５０６は、発信者番号に関係する特別な特性を識別するのに用いられる。発信者番号は、一般に自動番号識別（ＡＮＩ）として知られている。ＳＳ７メッセージにおいて、ＡＮＩ情報は、発信者番号フィールドまたは課金番号フィールドにおいて保持される。ＡＮＩテーブル５０６は通常、着信先番号テーブル５０８を示す。しかしＡＮＩテーブル５０６は、中継グループテーブル５０２またはルーティングテーブル５１０を直接示してもよい。
着信先番号テーブル５０８は、着信先番号をベースにしてルーティングの要求事項を識別するのに用いられる。これは、標準の電話通話の場合であろう。着信先番号テーブル５０８は通常、ルーティングテーブル５１０を示す。しかし、中継グループテーブル５０２を示してもよい。
ルーティングテーブル５１０は、様々な接続についての通話のルーティングに関する情報を有する。ルーティングテーブル５１０には、例外テーブル５０４、ＡＮＩテーブル５０６、または着信先番号テーブル５０８のいずれかにおけるポインタから入力される。ルーティングテーブル５１０は通常、中継グループテーブル５０２における中継グループを示す。
例外テーブル５０４、ＡＮＩテーブル５０６、着信先番号テーブル５０８、またはルーティングテーブル５１０が中継グループテーブル５０２を示す場合には、着信中継グループを効果的に選択している。着信接続処理中、中継グループテーブル５０２における中継グループ番号が、中継回線テーブル５００における適用可能な着信接続を含む中継グループを示す。
着信中継回線は、通話を延長するのに用いられる。中継回線は通常、ＶＰＩ／ＶＣＩまたはＤＳ０である。従って、各テーブルを切り換えることによって、ある通話についての着信接続を選択することができる、ということがわかる。
図６は、図５のオーバーレイである。図５からの各テーブルが存在しているが、わかりやすくするために、それらのポインタは省略している。図６は、図５のテーブルからアクセスすることができる更なるテーブルを示す。これらには、ＣＣＭ  ＩＤテーブル６００、処理テーブル６０４、照会／応答テーブル６００、およびメッセージテーブル６０８が含まれる。
ＣＣＭ  ＩＤテーブル６００は、様々なＣＣＭ  ＳＳ７のポイントコードを含む。これは、中継グループテーブル５０２からアクセスすることができ、中継グループテーブル５０２をポイントし直す。
処理テーブル６０４は、通話処理中に取るべき様々な特別の動作を識別する。これは通常、結果として開放メッセージ（ＲＥＬ）および原因値を送信することになる。処理テーブル６０４は、中継回線テーブル５００、中継グループテーブル５０２、例外テーブル５０４、ＡＮＩテーブル５０６、着信先番号テーブル５０８、ルーティングテーブル５１０、および照会／応答テーブル６０６からアクセスすることができる。
照会／応答テーブル６０６は、ＳＣＦを呼び出すのに用いる情報を有する。これは、中継グループテーブル５０２、例外テーブル５０４、ＡＮＩテーブル５０６、着信先番号テーブル５０８、およびルーティングテーブル５１０によってアクセスすることができる。これは、中継グループテーブル５０２、例外テーブル５０４、ＡＮＩテーブル５０６、着信先番号テーブル５０８、ルーティングテーブル５１０、および処理テーブル６０４を示す。
メッセージテーブル６０８は、通話の着信側からのメッセージについての命令を供給するのに用いられる。これは、中継グループテーブル５０２によってアクセスすることができ、中継グループテーブル５０２を示す。
図７−１４は、上述の様々なテーブルの例を示す。図７は、中継回線テーブルの例を示す。最初に、中継回線テーブルを用いて、発信回線についての情報にアクセスする。その後の処理中、それを用いて、着信回線についての情報を提供する。発信回線処理については、関連するポイントコードを用いてテーブルに入力される。これは、発信回線に関連する交換機またはＣＣＭのポイントコードである。着信回線処理については、中継グループ番号を用いてテーブルに入る。
テーブルはまた、回線識別コード（ＣＩＣ）を含む。ＣＩＣは、通常ＤＳ０またはＶＰＩ／ＶＣＩである回線を識別する。従って、本発明は、ＳＳ７  ＣＩＣをＡＴＭ  ＶＰＩ／ＶＣＩに対応付けることができる。回線がＡＴＭの場合には、仮想パス（ＶＰ）および仮想チャネル（ＶＣ）もまた識別に用いることができる。グループメンバー番号は、着信回線選択に用いる数字のコードである。ハードウェア識別子は、発信回線に関連するハードウェアの位置を識別する。エコーキャンセラ（ＥＣ）識別（ＩＤ）エントリーは、発信回線についてのエコーキャンセラを識別する。
残りのフィールドは、通話処理中満たされるという点において動的である。エコー制御エントリーは、シグナリングメッセージにおける以下の３つのフィールドを基準として満たされている。すなわち、ＩＡＭまたはＣＲＭにおけるエコーサプレッサインジケータ、ＡＣＭまたはＣＰＭにおけるエコー制御デバイスインジケータ、およびＩＡＭにおける情報転送能力である。この情報を用いて、通話上でエコー制御が必要であるかどうかを決定する。衛星インジケータは、ＩＡＭまたはＣＲＭにおける衛星インジケータで満たされている。これを用いて、用いられている衛星が多すぎる場合には通話を拒絶してもよい。回線ステータスは、与えられた回線が空きであるか、ブロックされているか、またはブロックされていないかを示す。回線状態は、回線の現在の状態、例えば、アクティブであるか過渡であるか、を示す。時間／日は、空き回線が空きになった時を示す。
図８は、中継グループテーブルの例を示す。発信処理中、中継回線テーブルからの中継グループ番号を用いて、中継テーブルに入力する。グレア解決は、グレア状態がどのように解決されるかを示す。グレアは、同じ回線を二重に起動することである。グレア解決エントリーが「偶数／奇数」にセットされる場合には、ポイントコードの大きい方のネットワーク要素が偶数の回線を制御し、ポイントコードの小さい方のネットワーク要素が奇数の回線を制御する。グレア解決エントリーが「すべて」にセットされる場合には、ＣＣＭは全回線を制御する。グレア解決エントリーが「なし」にセットされる場合には、ＣＣＭは降伏する。導通制御エントリーは、中継グループ上で導通試験を要求する通話の割合をリストする。
共通言語位置識別子（ＣＬＬＩ）エントリーは、ベルコア標準化エントリーである。衛星中継グループエントリーは、中継グループが衛星を用いるということを示す。衛星中継グループエントリーは、上述の衛星インジケータフィールドと共に用いて、通話が用いた衛星接続が多すぎ、従ってその通話を拒絶せねばならないかどうかを決定する。サービスインジケータは、入力されるメッセージがＣＣＭ（ＡＴＭ）からであるかまたは交換機（ＴＤＭ）からであるかを示す。出力のメッセージインデックス（ＯＭＩ）は、メッセージテーブルを示し、出力されるメッセージがパラメータを取得することができるようにする。関連する番号プランエリア（ＮＰＡ）エントリーは、エリアコードを識別する。
選択シーケンスは、接続を選択するのに用いる方法を示す。選択シーケンスフィールド指示は、中継グループに以下のものを基準として回線を選択するように命じる。すなわち、最少の空き、最大の空き、上昇中、下降中、時計回り、および反時計回り、である。ポップカウンタは、ＩＡＭからデクリメントされる。ポップカウンタがゼロの場合には、通話は開放される。自動輻輳制御（ＡＣＣ）アクティブは、輻輳制御がアクティブであるかどうかを示す。自動輻輳制御がアクティブである場合には、ＣＣＭは通話を開放してもよい。着信処理中に、次の機能およびインデックスを用いて中継回線テーブルに入力される。
図９は、例外テーブルの例を示す。インデックスは、テーブルに入れるためのポインタとして用いられる。キャリア選択識別（ＩＤ）パラメータは、どのようにして発信者がネットワークに達するかを示し、あるタイプの通話のルーティングに用いられる。このフィールドには、以下のものが用いられる。すなわち、予備または指示なし、発信者が前もって加入し入力する選択したキャリア識別コード、発信者が前もって加入し入力しない選択したキャリア識別コード、発信者が前もって加入し入力を指示しない選択したキャリア識別コード、および発信者が前もって加入せず入力しない選択したキャリア識別コード、である。キャリア識別（ＩＤ）は、発信者が使用したいネットワークを示す。これを用いて、通話を所望のネットワークに直接ルーティングする。着信者番号のアドレスの性質は、０＋通話、１＋通話、試験通話、および国際通話の間で異なっている。例えば、国際通話は、予め選択した国際キャリアにルーティングされるかもしれない。
着信者の「ディジット  フロム」および「ディジット  トゥ」は、定義した着信先番号の範囲に独特の更なる処理に焦点を合わせている。「ディジット  フロム」フィールドは、１−１５ディジットにわたる１０進法の数である。いかなる長さであってもよく、１５よりも少ないディジットで満たされている場合には、残りのディジットについては０で満たされている。「ディジット  トゥ」フィールドは、１−１５ディジットにわたる１０進法の数である。いかなる長さであってもよく、１５よりも少ないディジットで満たされている場合には、残りのディジットについては９で満たされている。次の機能および次のインデックスのエントリーは、通常ＡＮＩテーブルである次のテーブルを示す。
図１０は、ＡＮＩテーブルの例を示す。インデックスを用いて、テーブルのフィールドに入力される。発信者カテゴリは、発信者のタイプ、例えば、試験通話、緊急通話、および普通通話、の間で異なる。発信者課金番号エントリーのアドレスの性質は、ＡＮＩをどのように取得するかを示す。以下は、このフィールドで用いられるテーブルを満たすものである。すなわち、未知、独特の加入者番号、利用できないまたは提供されていないＡＮＩ、固有の国内番号、着信者のＡＮＩを含む、着信者のＡＮＩを含まない、着信者のＡＮＩが国内番号を含む、固有でない加入者番号、固有でない国内番号、固有でない国際番号、試験ライン試験コード、および他のパラメータ値すべて、である。
「ディジット  フロム」および「ディジット  トゥ」は、与えられた範囲内のＡＮＩに独特の更なる処理に焦点を合わせている。データエントリーは、ＡＮＩがエコー制御を必要としないデータデバイスを表しているかどうかを示す。発信ライン情報（ＯＬＩ）は、普通加入者、多数共同ライン、ＡＮＩ故障、ステーションレベル定格、特別オペレータ取り扱い、自動識別外線ダイヤリング、データベースアクセスを用いた貨幣または非貨幣通話、８００／８８８サービスの通話、貨幣、刑務所／被収容者サービス、遮断（ブランク、障害、標準）、オペレータが取り扱う通話、外線広域電気通信サービス、電気通信リレーサービス（ＴＲＳ）、セルラーサービス、専用公衆電話、および専用仮想ネットワーク型のタイプのサービスへのアクセス、の間で異なる。次の機能および次のインデックスは、通常着信先番号テーブルである次のテーブルを示す。
図１１は、着信先番号テーブルの例を示す。インデックスを用いてテーブルに入れる。着信先番号のアドレスの性質のエントリーは、ダイヤルした番号のタイプ、例えば、国内対国際、を示す。「ディジット  フロム」および「ディジット  トゥ」エントリーは、着信先番号のある範囲に独特な更なる処理に焦点を合わせている。この処理は、図９の「ディジット  フロム」および「ディジット  トゥ」フィールドの処理論理に従う。次の機能および次のインデックスは、通常ルーティングテーブルである次のテーブルを示す。
図１２は、ルーティングテーブルの例を示す。インデックスを用いてテーブルに入れる。遷移ネットワーク選択（ＴＮＳ）のネットワーク識別（ＩＤ）プランは、ＣＩＣに用いるディジットの数を示す。遷移ネットワーク選択の「ディジット  フロム」および「ディジット  トゥ」フィールドは、国際キャリアを識別する番号の範囲を定義する。回線コードは、通話上のオペレータの必要性を示す。ルーティングテーブル内の次の機能および次のインデックスのエントリーを用いて中継グループを識別する。第２および第３の次の機能／インデックスエントリーは、交替ルートを規定する。第３の次の機能エントリーはまた、交替ルートの選択の数を拡張するために、ルーティングテーブルにおける他の組の次の機能に戻って示すこともできる。他のエントリーで許可されるのは、処理テーブルへのポインタのみである。ルーティングテーブルが中継グループテーブルを示す場合には、中継グループテーブルは通常、中継回線テーブル内の中継回線を示す。中継回線テーブルから得られるものは、その通話についての着信接続である。
図７−１２から、通話処理が中継回線テーブルに入ることができ、情報を入力しポインタを用いることによって各テーブルを横切ることができるような方法で、各テーブルを構成し互いに関係があるようにすることができる、ということがわかる。各テーブルから得られるものは通常、中継回線テーブルによって識別される着信接続である。通常、この接続は音声パスである。場合によっては、接続の代わりに処理テーブルによって処理が指定される。処理中のいかなる時点においても、中継グループを選択することができる場合には、処理は着信回線選択用の中継グループテーブルに直接進んでもよい。例えば、１組の特定の中継グループを通じて特定のＡＮＩから通話をルーティングするのが望ましいかもしれない。この場合には、ＡＮＩテーブルは中継グループテーブルを直接示し、中継グループテーブルは、着信回線用の中継回線テーブルを示す。各テーブルを通るデフォールトパスは、中継回線、中継グループ、例外、ＡＮＩ、着信先番号、ルーティング、中継グループ、および中継回線である。
図１３は、処理テーブルの例を示す。インデックスか、あるいは原因値を受け取ったメッセージの原因値のどちらかが満たされ、テーブルに入れるのに用いられる。インデックスが満たされていてテーブルに入れるのに用いられる場合には、概略位置、コーディング標準、および原因値インジケータを用いてＳＳ７ＲＥＬを生成させる。原因値エントリーを受け取ったメッセージは、受け取られたＳＳ７メッセージにおける原因値である。原因値が満たされていてテーブルに入れるのに用いられる場合には、そのメッセージからの原因値がＣＣＭからのＲＥＬにおいて用いられる。次の機能および次のインデックスは、次のテーブルを示す。
図１４は、メッセージテーブルの例を示す。このテーブルによって、ＣＣＭは出力のメッセージにおける情報を変更することができる。メッセージのタイプがテーブルに入力され、それは、出力の標準ＳＳ７メッセージのタイプを表す。フィールドは、出力のＳＳ７メッセージ内の関係するパラメータである。インデックスは、中継グループテーブルにおける様々なエントリーを示し、出力のメッセージにおいて各パラメータを変更なし、省略、または修正が可能かどうかを決定する。
最初の通話処理
上述の各テーブルは、本質的に、通話セットアップ中の通話についての接続または処理を選択する。残りの図は、ＣＣＭによる様々なＳＳ７シグナリングメッセージの処理を詳述する。これらの図には、よく知られたＳＤＬ用語が用いられている。ＳＤＬにおいて、長方形は処理を示し、ダイアモンド型は決定を表す。先のとがった長方形は、送られたメッセージを表し、引っ込んだ長方形は、受け取られたメッセージを表す。長方形の中に垂直な線が含まれている場合には、そのメッセージはＣＣＭ内部のものである。線がない場合には、そのメッセージはＣＣＭ外部のものである。とがった先や引っ込みが左側にある場合には、そのメッセージは通話の発信側に関係する。とがった先や引っ込みが右側にある場合には、そのメッセージは通話の着信側に関係する。以下の説明において、１つの図から他の図への遷移は、新しい図を括弧に入れることによって示す。
図１５は、ＣＣＭによるすべてのメッセージの最初の取り扱いを含む。処理は空き状態のステップ２０００で始まる。２００２において、メッセージが受け取られ、２００４で分析される。２００６においてメッセージが認識されない場合には、２００８において混乱メッセージが送り戻され、２０１０においてそのメッセージが廃棄され、２０１２においてメンテナンンス処理（メンテナンス）にメッセージ（ｍｓｇ）が通知され、２０１４において空きに至る。２００６においてメッセージが認識される場合には、２０１６において中継回線（ｃｋｔ）テーブルがチェックされる。２０１８でＣＩＣのマッチが見いだされない場合には、２０２０においてメッセージのタイプがチェックされる。メッセージが通常のものの場合には、２０２２においてＵＣＩＣメッセージが送り戻され、２０１０においてそのメッセージが廃棄される。２０２０においてそのメッセージが試験メッセージである場合には、２０１０においてそのメッセージが廃棄される。２０２０においてそのメッセージがＣＶＴ、ＣＶＲ、ＣＱＭ、またはＣＱＲである場合、または、２０１８においてＣＩＣのマッチが見いだされる場合には、２０２４においてそのメッセージが分析される。２０２６においてそのメッセージによって処理が混乱する（すなわち、混同する）場合には、２０１０においてそのメッセージが廃棄される。そうでない場合には、２０２８および２０３０においてメッセージのタイプが決定される。２０３４で空きに至る前に、２０３２において以下のメッセージがメンテナンスに送られる。すなわち、ＢＬＯ、ＢＬＡ、ＵＢＡ、ＲＳＣ、ＣＣＲ、ＬＰＡ、ＣＱＭ、ＣＱＲ、ＧＲＳ、ＧＲＡ、ＣＧＢ、ＣＧＢＡ、ＣＧＵ、ＣＧＵＡ、ＣＶＴ、ＣＶＲ、およびＵＣＩＣである。他のメッセージはすべて、２０３８で空き状態に至る前に２０３６において通話処理に送られる。ステップ２０３６はまた、ＢＣＭの例が作り出されて通話を処理する、ということも意味する。
ＢＣＭは、通話の入力側を取り扱う処理からなる。これは、発信通話処理として知られている。発信処理は、メッセージを受け取って、通話の入力側に関係する情報を処理する。ＢＣＭはまた、通話の出力側を取り扱う処理−−着信処理からもなっている。着信処理は、メッセージを受け取って、通話の出力側に関係する情報を処理する。
通話は、「ＣＣＭ内」通話として参照されるであろう。これは、通話接続の両端を同じＣＣＭが制御している場合である。ＣＣＭ内通話の通話メッセージは、「内部」メッセージとして参照されるであろう。通話がＣＣＭ内通話ではない場合には、通話メッセージは、普通の方法でまたは「外部」メッセージとして参照される。
入力通話についての中継回線およびグループのテーブル処理
図１６Ａ−１６Ｐは、発信処理による中継回線および中継グループのテーブルの使用を含む。図１６Ａで、２０４０においてＢＣＭは空き状態である。２０４１において、出力（ＯＴＧ−−出力処理は着信処理とも呼ばれる）通話処理からの内部起動要求が受け取られると、２０４２においてＣＣＢからＩＡＭ情報が読み出され、処理は２０５０に進む。２０４３において着信（ＯＴＧ）処理が起動を要求するか、または、２０４４においてＩＡＭが受け取られる場合には、２０４６においてＩＡＭのルーティングラベルがチェックされる。２０４８においてＩＡＭが開かれ、２０５０においてＣＩＣについて情報が検索される。２０５２および２０５４においてこのＣＩＣについての回線のステータスがチェックされる。２０５６（図１６Ｂ）においてステータスが話中である場合には、２０５８においてメンテナンスに通知され、２０６０においてインデックス４１を有する原因が処理テーブルに送られ、２０６２において空きに至る。２０６４においてステータスが不備の場合には、２０６６においてメンテナンスに通知され、２０６８においてインデックス４１を有する原因が処理テーブルに送られ、２０７０において空きに至る。２０７２においてステータスがブロックされる場合には、２０７４において状態がチェックされる。２０７６において遠隔操作のブロックが見いだされる場合には、２０７８において着信／発信者試験通話がチェックされる。２０８０において試験通話でない場合には、２０８２においてブロックステータスが除去され、処理は２０９８に進む。２０７６において居所的なブロックが見いだされる場合には、２０８４において着信／発信者試験通話がチェックされる。２０８６において試験通話でない場合には、２０８８においてブロッキング処理が呼び出され、２０９０において空きに至る。２０８０と２０８６のどちらかにおいて試験通話が見いだされる場合には、２０９２において通話に試験通話の印をつける。２０９４において回線に過渡の印をつけ、処理は２２７２に進む。２０８２の後、または２０９６において空きステータスが見いだされる場合には、２０９８において回線に過渡の印をつける。２１００においてステータスが過渡の場合には、２１０２においてグレア解決が呼び出され、２１０４において解決が取得される。２１０６および２１０８において入力（ｉｎｃ）通話についてのグレア制御が決定される。ＣＣＭが制御されている場合には、２０９８において回線に過渡の印をつける。発信処理が制御されていない場合には、２１１０においてＩＡＭが無視され、２１１２において空きに至る。受け取られたメッセージが２１１３において内部ＲＬＣまたは２１１４において外部ＲＬＣである場合には、２１１６においてそのメッセージが無視され、２１１８において空きに至る。
２１２０（図１６Ｃ）においてＣＲＭが受け取られる場合には、２１２２においてルーティングラベルがチェックされ、２１２４においてメッセージ情報がＣＣＢに記録される。２１２６において中継回線内でＣＩＣがチェックされ、２１２８および２１３０においてＣＩＣのステータスがチェックされる。２１３２においてステータスが話中である場合には、２１３４（図１６Ｄ）においてメンテナンスに通知され、２１３６においてインデックス４１を有する原因が処理テーブルに送られ、２１３８において空きに至る。２１４０においてステータスが不備の場合には、２１４２においてメンテナンスに通知され、２１４４においてインデックス４７を有する原因が処理テーブルに送られ、２１４８において空きに至る。２１５０においてステータスがブロックされる場合には、２１５２において状態がチェックされる。２１５４において遠隔操作のブロックが見いだされる場合には、２１６２においてブロックステータスが除去され、処理は２１９２に進む。２１５４において局所的なブロックが見いだされる場合には、２１５６においてブロッキング処理が呼び出され、２１５８において回線に過渡の印をつけ、２１６０において空きに至る。２１７６においてステータスが過渡の場合には、２１７８においてグレア解決が呼び出され、２１８０において解決が取得される。２１８２および２１８４においてその通話についてのグレア制御が決定される。ＣＣＭが制御されていない場合には、２１８６においてＩＡＭが無視され、２１８８において空きに至る。２１８４において発信処理が制御されていない場合には、処理は２１９２に進む。２１６２、２１８４の後、または２１９０において空きステータスが見いだされる場合には、２１９２において回線に過渡の印をつける。２１９４においてタイマＴＣＲＡがスタートし、２１９６においてＣＲＡが送出される。２１９８において、接続の性質のインジケータのＣＯＴ要求事項がチェックされる。２２００においてＣＯＴが要求されている（１）場合には、２２０４においてＣＯＴ処理が呼び出され、２２０６においてＣＯＴタイマがスタートし、処理は２４８２に進む。２２０９において内部ＲＥＬが受け取られるか、または２２１０において外部ＲＥＬが受け取られる場合には、２２１１および２２１２において、中継回線テーブルがチェックされて、その通話がＣＣＭ内通話であるかどうかが決定される。２２１２においてこれがＣＣＭ内通話である場合には、２２１３において内部ＲＬＣが送られる。２２１２においてこれがＣＣＭ内通話でない場合には、２２１４において外部ＲＬＣが送られる。２２１５において空きに至る。２２１６において他の内部メッセージが受け取られるか、または２２１７において他の外部メッセージが受け取られる場合には、２２１８においてそれらは回線リセットに送られ、２２２０において空きに至る。２２００においてＣＯＴが要求されない（０または２）場合には、処理は２２２２に進む。
ＩＡＭ待ちは２２２２（図１６Ｅ）において開始する。２２２３において外部ＩＡＭが受け取られるか、または２２２４において内部ＩＡＭが受け取られる場合には、２２２５においてＩＡＭタイマＴＣＲＡがストップし、２２２６において導通チェックがセットされる。処理は２２７２に進む。２２２７においてリセットが受け取られる（回線リセット、回線グループリセット、回線照会送出、または回線グループブロック送出から）場合には、２２２８において回線に空きの印をつけ、２２２９において空きに至る。２２３０においてリセットが受け取られる（回線グループブロック／アンブロック受け取りから）場合には、２２３１において他の内部メッセージが受け取られるか、または２２３２において他の外部メッセージが受け取られ、２２３３においてそれらのメッセージが無視され、処理は２２２２に進む。２２３９において内部ＲＥＬが受け取られるか、または２２４０において外部ＲＥＬが受け取られる場合には、２２４１および２２４２（図１６Ｆ）において、その通話がＣＣＭ内であるかどうかが決定される。２２４２においてその通話がＣＣＭ内である場合には、２２４３において内部ＲＬＣが送られる。２２４２においてその通話がＣＣＭ内でない場合には、２２４４において外部ＲＬＣが送られ、２２４５において回線に空きの印をつける。２２４６においてエコー制御がリセットされ、２２４８において空きに至る。２２４９において内部ＲＬＣが受け取られるか、２２５０において外部ＲＬＣが受け取られるか、または２２７０において回線照会処理が開放を要求する場合には、２２５１および２２５２においてその通話がＣＣＭ内であるかどうかが決定される。２２５２においてその通話がＣＣＭ内の場合には、２２５３において内部ＲＥＬが送られる。２２５２においてその通話がＣＣＭ内でない場合には、２２５４において普通の原因を有する外部ＲＬＣが送られる。２２５３または２２５４の後、２２５５においてＣＯＴがチェックされる。１が存在する場合、２２５６において入力導通処理がストップし、２２５８においてＣＯＴタイマがストップする。２２５５において２が存在する場合、２２５８においてＣＯＴタイマがストップする。２２５８の後、または２２５５において０が存在する場合、２２６０において回線に過渡の印をつける。２２６２においてＲＬＣタイマがスタートし、２２６４においてｓｅｎｄＲＥＬタイマがスタートする。２２６６においてエコー制御がリセットされ、処理は３７２４に進む。
２０９４、２０９８、または２２２６の後、２２７２（図１６Ｇ）および２２７４において接続の性質のインジケータのＣＯＴ要求事項がチェックされる。１が存在する場合には、２２７６において入力導通処理がスタートし、２２７８においてＣＯＴタイマがスタートする。２が存在する場合には、２２７８においてＣＯＴタイマがスタートする。０が存在する場合には、処理は２２８０に進み、そこでＩＡＭ情報がＣＣＢ内に記憶される。２２８２において回線起動時点が課金に送られる。２２８４においてＵＳＩパラメータからのエコー制御情報がエコー制御に送られる。２２８６において通話の試みがカウントされる。試みが２以上の場合には、２２９０において４１のインデックスを有する原因が処理テーブルに送られ、２２９２において空きに至る。２２８８において通話の試みが２よりも少ない場合には、２２９４において中継グループをチェックして自動輻輳制御（ＡＣＣ）が必要かどうかを調べる。必要な場合には、２２９８（図１６Ｈ）においてその通話がＡＣＣ処理に送られ、２３００において空きに至る。２２９６においてＡＣＣが必要でない場合には、２３０６および２３１８において中継グループテーブルにおける次の機能が取得される。２３２０において次の機能が例外テーブルである場合には、２３２２においてインデックスがチェックされて、２３２４においてその通話が例外テーブルに送られ、２３２６において空きに至る。２３２８において次の機能がない場合には、２３２４においてその通話が例外テーブルに送られる。２３３６において次の機能が中継グループテーブルである場合には、２３３８においてインデックスがチェックされ、２３４０においてその通話が中継グループテーブルの出力部に送られる。３４６０において発信処理が着信処理による出力回線選択を待つ。
ＣＯＴ待ちは２３４４において開始する（図１６Ｉ）。２３４６においてＣＯＴタイマが停止する場合には、２３４８において導通の要求事項がチェックされる。導通試験が必要な場合には、２３５０において入力導通チェック処理がストップする。２３５２において４１のインデックスを有する原因が処理テーブルに送られ、２３５４において空きに至る。２３４８において導通チェックが必要でない場合には、２３５２において４１のインデックスを有する原因が処理テーブルに送られ、２３５４において空きに至る。２３５６においてリトライ通話メッセージが受け取られる場合には、処理はステップ２２８０に進む。２２５８において外部ＣＯＴが受け取られるか、または２３５９において内部ＣＯＴが受け取られる場合には、２３６０において導通の要求事項がチェックされる。導通試験が必要な場合には、２３６２において入力導通チェック処理がストップし、２３６４においてＣＯＴタイマがストップする。２３６０において導通チェックが必要でない場合には、２３６４においてＣＯＴタイマがストップする。２３６４の後、または２３６０において導通が０の場合には、２３６６（図１６Ｊ）において導通試験成功がチェックされる。成功でない場合には、２３６８においてメンテナンスに通知され、２３７０において導通再チェック処理が呼び出され、２３７２において空きに至る。２３６６において導通試験が成功する場合には、２３７４においてＣＯＴがＣＣＢ内に記憶される。処理は３５２０に進む。２４０４においてリセットが受け取られる場合には、２４０６において導通の要求事項がチェックされる。導通試験が必要な場合には、２４０８において入力導通チェック処理がストップし、２４１０においてＣＯＴタイマがストップする。２４０６において導通チェックが必要でない場合には、２４１０においてＣＯＴタイマがストップする。２４１０の後、または２４０６において導通が０の場合には、２４１２において回線が空きにセットされ、２４１４において空きに至る。
２４２０（図１６Ｋ）において外部ＲＥＬが受け取られるか、または２４２１において内部ＲＥＬが受け取られる場合には、２４２２において導通試験の要求事項がチェックされる。導通試験が必要な（１）場合には、２４２４において入力導通チェック処理がストップし、２４２６においてＣＯＴタイマがストップする。前の回線上で導通チェックが必要な（２）場合には、２４２６においてＴ８タイマがストップする。２４２６の後、または２４２２において導通が必要でない
（０）場合には、２４２７および２４２８（図１６Ｌ）においてその通話がＣＣＭ内通話であるかどうかが決定される。２４２８においてそれがＣＣＭ内通話である場合には、２４２９において内部ＲＬＣが送られる。２４２８においてそれがＣＣＭ内通話でない場合には、２４３０において外部ＲＬＣが送出される。２４３１において空き指示が課金に送られ、２４３２において回線が空きにセットされる。２４３３においてエコー制御がリセットされ、２４４０において空きに至る。２４４２において通話処理から開放要求が受け取られると、２４４４において原因４１を有するメッセージが処理テーブルに送られ、２４４６において空きに至る。２４６２において回線照会開放が受け取られる場合には、２４３５において外部ＲＬＣが受け取られるか、または２４３６において内部ＲＬＣが受け取られ、処理は２４４４に進む。２４６４において他の外部メッセージが受け取られるか、または２４６５において他の内部メッセージが受け取られる場合には、２４６６において導通試験の要求事項がチェックされる。導通試験が必要な（１）場合には、２４６８において入力導通チェック処理がストップし、２４７０においてＣＯＴタイマがストップする。前の回線上で導通チェックが必要な（２）場合には、２４７０においてＣＯＴタイマがストップする。導通が必要でない（０）場合には、２４７２において回線リセット処理が呼び出され、２４７４において空きに至る。２３１６において外部情報メッセージが受け取られるか、または２３１７において内部情報メッセージが受け取られる場合には、２３１８においてその情報が通話処理に提供され、２３４４においてＣＯＴ待ちが継続する。２４７６においてブロッキングメッセージが受け取られる場合には、２４７８においてメッセージが無視され、処理は２３４４に進む。
ＣＯＴおよびＩＡＭ待ちは２４８２において開始する（図１６Ｍ）。２４８４においてＣＯＴタイマが停止する場合には、２４８６において導通の要求事項がチェックされる。導通試験が必要な（１）場合には、２４８８において入力導通チェック処理がストップする。２４９０において４１のインデックスを有する原因が処理テーブルに送られ、２４９２において空きに至る。２４８６において導通チェックが必要でない（２）場合には、２４９０において４１のインデックスを有する原因が処理テーブルに送られ、２４９２において空きに至る。２４９３において内部ＣＯＴが受け取られるか、または２４９４において外部ＣＯＴが受け取られる場合には、２４９６において導通の要求事項がチェックされる。導通試験が必要な場合には、２４９８において入力導通チェック処理がストップし、２５００においてＣＯＴタイマがストップする。２４９６において導通チェックが必要でない場合には、２５００においてＣＯＴタイマがストップする。２５００（図１６Ｎ）において、導通試験成功がチェックされる。成功でない場合には、２５０４においてメンテナンスに通知され、２５０６において導通再チェック処理が呼び出され、２５０８において空きに至る。２５０２において導通試験が成功する場合には、２５１０においてＣＯＴがＣＣＢ内に記憶され、処理は２２２２に進む。２５１２においてリセットが受け取られる場合には、２５１４において導通の要求事項がチェックされる。導通試験が必要な場合には、２５１６において入力導通チェック処理がストップし、２５１８においてＣＯＴタイマがストップする。２５１４において前の回線上で導通チェックが必要な（２）場合には、２５１８においてＣＯＴタイマがストップする。２５１４において導通チェックが必要でない（０）場合には、２５２０において回線が空きにセットされ、２５２２において空きに至る。２５７８においてブロッキングメッセージが受け取られる場合には、２５８０においてそのメッセージが無視され、処理は２４８２に進む。
２５２８（図１６Ｏ）において外部ＲＥＬが受け取られるか、または２５２９において内部ＲＥＬが受け取られる場合には、２５３０において導通試験の要求事項がチェックされる。導通試験が必要な（１）場合には、２５３２において入力導通チェック処理がストップし、２５３４においてＣＯＴタイマがストップする。前の回線上で導通チェックが必要な（２）場合、または導通が必要でない（０）場合には、２５３５および２５３６（図１６Ｐ）においてその通話がＣＣＭ内通話であるかどうかが決定される。２５３６においてそれがＣＣＭ内通話である場合には、２５３７において内部ＲＬＣが送られる。２５３６においてそれがＣＣＭ内通話でない場合には、２５３８において外部ＲＬＣが送出される。２５３７または２５３８の後、２５３９において回線が空きにセットされる。２５４０においてエコー制御がリセットされ、２５４２において空きに至る。２５４４において外部ＲＬＣが受け取られるか、または２５４５において内部ＲＬＣが受け取られる場合には、２５４８において導通試験の要求事項がチェックされる。導通試験が必要な（１）場合には、２５５０において入力導通チェック処理がストップし、２５５２においてＣＯＴタイマがストップする。前の回線上で導通チェックが必要な（２）場合、または導通が必要でない（０）場合には、２５５３および２５５４においてその通話がＣＣＭ内通話であるかどうかが決定される。２５５４においてそれがＣＣＭ内通話である場合には、２５５５において内部ＲＬＣが送られる。２５５４においてそれがＣＣＭ内通話でない場合には、２５５６において原因４１を有する外部ＲＬＣが送出される。２５５５または２５５６の後、２５５７において回線に過渡の印をつける。２５５８においてＲＬＣタイマがスタートし、２５５９において送られたＲＥＬタイマがスタートする。２５６０においてエコー制御がリセットされ、３７２４において発信処理がＲＬＣを待つ。２５６４において回線照会開放が受け取られる場合には、処理は２５４８に進む。２５６６において他の外部メッセージが受け取られるか、または２５６７において他の内部メッセージが送られる場合には、２５６８において導通試験の要求事項がチェックされる。導通試験が必要な（１）場合には、２５７０において入力導通チェック処理がストップし、２５７２においてＣＯＴタイマがストップする。前の回線上で導通チェックが必要な（２）場合、または導通が必要でない（０）場合には、２５７４において回線リセット処理が呼び出され、２５７６において空きに至る。
例外テーブル処理
図１７Ａ−１７Ｅは、例外テーブルの使用を含む。図１７Ａの２６００において、例外テーブルの使用は空きである。２６０２において、他のテーブルの次の機能をベースにしてＢＣＭが例外テーブルにアクセスすることができる。２６０４において、前のテーブルからのインデックスが例外テーブルのインデックスにマッチされる。マッチが見いだされない場合には、２６０８においてデフォールトルーティングが用いられる。インデックスが見いだされる場合には、２６１０および２６１２においてＩＡＭのキャリア選択パラメータ（ＣＳＰ）およびキャリア識別パラメータ（ＣＩＰ）がチェックされる。ＣＳＰおよびＣＩＰが１つも見いだされない場合には、処理は２６７０に進む。ＣＳＰまたはＣＩＰが見いだされる場合には、２６１２において、ＣＩＰのキャリア識別がチェックされ、２６１４および２６１６において長さがチェックされる。長さが４ディジットの場合には、２６１８においてキャリア識別が他の４ディジットのキャリアコードと比較される。２６２０においてマッチが見いだされない場合には、２６２２においてメンテナンスに通知され、処理は２６７０に進む。２６２０においてマッチが見いだされる場合には、２６２６においてＣＡＣが課金用に記録され、処理は２６３６（図１７Ｂ）に進む。２６１６におけるディジット数が３の場合には、２６２８においてキャリア識別が他の３ディジットのキャリアコードと比較される。２６３０においてマッチが見いだされない場合には、２６３２においてメンテナンスに通知され、処理は２６７０に進む。２６３０においてマッチが見いだされる場合には、２６３２においてＣＡＣが課金用に記録され、２６３６において例外テーブルフィールドラインの更なる情報がチェックされる。２６３８および２６４０において、ＣＳＰのキャリア選択識別がチェックされる。２６４２においてそのコードが予備であるまたは割り当てられていない場合には、２６４４においてＣＳＰが課金用に記録され、２６４６においてメンテナンスに通知される。次に２６４８において１１１の原因を有するメッセージが処理テーブルに送られ、２６５０において処理が空きになる。２６４０におけるチェックが２６５２におけるエントリー（００００  ００００から００００  ０１００）とマッチする場合には、２６５４においてＣＳＰが課金用に記録され、２６５６および２６５８においてテーブルがキャリア選択識別とマッチするかチェックされる。マッチが見いだされない場合には、２６６０においてメンテナンスに通知される。マッチが見いだされる場合には、２６６４において着信先番号フィールドがチェックされる。２６６６においてそれが満たされていない場合には、処理は２７３６に進む。
２６６４においてマッチが見いだされる場合には、２６７０（図１７Ｃ）において着信者番号がＣＣＢにおいてチェックされ、２６７２および２６７４においてアドレスの性質がチェックされる。２６７６において加入者番号が見いだされる場合には、２６７８および２６８０（図１７Ｄ）においてそのライン上の残りのエントリーのマッチがチェックされる。２６８０においてマッチが見いだされない場合には、２６８２においてメンテナンスに通知され、２６８４において４５のインデックスを有するメッセージが処理テーブルに送られ、２６８６において処理が空きになる。２６８０においてマッチが見いだされる場合には、２６８８においてＡＮＩの通話に用いるＮＰＡがチェックされる。２６９０においてＮＰＡが存在していない場合には、処理は２６８２に進む。２６９０においてＮＰＡが存在している場合には、２６９４においてそのＮＰＡが着信先番号に付け加えられ、２６９６においてディジットがチェックされる。２６９８においてそれらのディジットがある範囲にマッチしない場合には、処理は２６８２に進む。２６９８においてそれらのディジットがある範囲にマッチする場合には、処理は２７３６に進む。２７００において国内番号が見いだされる場合には、２７０２および２７０４においてそのライン上の残りのエントリーのマッチがチェックされる。２７０４においてマッチが見いだされない場合には、処理は２６８２に進む。２７０４においてマッチが見いだされる場合には、処理は２６９６に進む。２７０６において試験ラインまたはコードが見いだされる場合には、２７０８および２７１０においてそのライン上の残りのエントリーのマッチがチェックされる。２７１０においてマッチが見いだされない場合には、処理は２６８２に進む。２７１０においてマッチが見いだされる場合には、２７１２において通話ブロックにフラグをつけて試験通話を示し、処理は２９６９に進む。２７１４において国際番号が見いだされる場合には、２７１６および２７１８においてそのライン上の残りのエントリーのマッチがチェックされる。２７１８においてマッチが見いだされない場合には、処理は２６８２に進む。２７１８においてマッチが見いだされる場合には、処理は２７３６に進む。通常、この通話は国際キャリアと関連する中継グループに直接進む。２７２０において短縮またはオペレータがアシストする番号が見いだされる場合には、２７２２および２７２４においてそのライン上の残りのエントリーのマッチがチェックされる。２７２４においてマッチが見いだされない場合には、処理は２６８２に進む。２７２４においてマッチが見いだされる場合には、処理は２７３６に進む。通常、この通話はオペレータサービスと関連する中継グループに直接進む。２７２６において予備番号が見いだされる場合には、２７２８においてメンテナンスに通知され、２７３０において１１１のインデックスを有するメッセージが処理テーブルに送られ、２７３２において空きに至る。
２７３６（図１７Ｅ）において、次の機能がチェックされる。２７３８において照会／応答テーブルが次である場合には、２７４０においてインデックスが取得される。２７４２において通話が照会／応答テーブルに送られ、２７４４において空きに至る。２７４６においてリストされるテーブルがないか、または２７４８においてＡＮＩテーブルが次である場合には、２７５０においてインデックスが取得される。２７５２において通話がＡＮＩテーブルに送られ、２７５４において空きに至る。２７６２において着信先番号テーブルが次である場合には、２７６４においてインデックスが取得される。２７６６において通話が着信先番号テーブルに送られ、２７６８において空きに至る。２７７０においてルーティングテーブルが次である場合には、２７７２においてインデックスが取得される。２７７４において通話がルーティングテーブルに送られ、２７７６において空きに至る。２７７８において中継グループテーブルが次である場合には、２７８０においてインデックスが得られる。２７８２において通話が中継テーブルの出力部に送られる。３４６０において発信処理が着信処理による出力の回線選択を待つ。
ＡＮＩテーブル処理
図１８Ａ−１８Ｆは、ＡＮＩテーブルの使用を含む。図１８Ａの２８００において、ＡＮＩテーブルは、２８０１においてＢＣＭが次の機能からこのテーブルに入ってくるまで空きである。２８０２において、インデックスがチェックされ、２８０３においてマッチが探索される。マッチが見いだされない場合には、２８０４においてデフォールトルーティングが用いられる。２８０３においてインデックスがマッチする場合には、２８０５においてそのインデックスを用いてＡＮＩテーブルに入力する。２８０４または２８０５の後、２８０６において発信ライン情報（ＯＬＩ）パラメータがチェックされる。２８０７において発信ライン情報が存在しない場合は、２８０８（図１８Ｂ）においてメンテナンスに通知され、２８０９においてインデックス１１１を有するメッセージが処理に送られ、２８１０において空きに至る。２８０７において発信ライン情報が見いだされる場合には、２８１１においてＯＬＩディジットが課金に送られ、２８１２および２８１３においてテーブルのＯＬＩとのマッチがチェックされる。２８１３においてマッチが見いだされない場合には、２８１４においてメンテナンスに通知され、２８１５において２のＯＬＩが用いられる。２８１５の後、または２８１３においてマッチが見いだされる場合には、２８１６においてＩＡＭ内の発信者カテゴリがチェックされる。２８１７において発信者カテゴリが存在しない場合には、処理は２８０８に進む。２８１７において発信者カテゴリが存在する場合には、２８１８および２８１９においてそれがテーブルにマッチされる。２８２０においてそれが普通の加入者である場合には、２８２１においてＣＣＢ内にこの印をつけ、２８２２および２８２３においてテーブルのデータ発信者をチェックする。通話がデータ通話である場合には、２８２４においてその通話についてのエコーキャンセラをオフにし、２８２５において課金用に通話にデータ通話の印をつける。２８２５の後、またはその通話がデータ通話でない場合には、２８２３において、処理が２８３４に進む。２８２６においてカテゴリが他のデータフィルである場合には、２８２７においてメンテナンスに通知され、処理は２８２１に進む。カテゴリが２８２８において緊急通話を示すか、２８３０において優先通話を示すか、または２８３１において国内の警備通話を示す場合には、ＩＡＭの優先が１にセットされ、処理は２８２１に進む。２８３２においてカテゴリが試験通話を示す場合には、２８３３においてその通話に試験通話の印をつけて、処理は２８２１に進む。
２８３４（図１８Ｃ）において、ＩＡＭからの発信者番号、課金番号、および発信者カテゴリが通話制御ブロックから読み出される。２８３５において発信者の番号が存在していない場合には、２８３６において課金番号がチェックされる。２８３７において課金番号が存在していない場合には、２８３８においてメンテナンスに通知され、２８３９においてインデックス１１１を有するメッセージが処理に送られ、２８４０において空きに至る。２８３７において課金番号が存在する場合には、２８４６においてその課金番号をＡＮＩとして用いる。２８４８において課金番号がＡＮＩであり課金番号が発信者番号であるという情報が課金に送られる。２８５０よび２８５２（図１８Ｄ）において課金パラメータの番号の性質がマッチされる。マッチがない場合には、２８５４においてメンテナンスに通知され、２８５６において４５の原因を有するメッセージが処理テーブルに送られ、２８５８において空きに至る。２８６０におけるマッチが２８６０におけるＡＮＩ指示なしである場合には、処理は２８３８に進む。２８６２におけるマッチが２８６２における加入者番号である場合には、２８６４において中継テーブルからのＮＰＡが付け加えられ、２８６６においてＮＰＡが課金番号処理に付け加えられる。次に処理は２９０４に進む。２８５２におけるマッチが２８６８における国内番号である場合には、処理は２９０４に進む。２８５２におけるマッチが２８７０における着信先番号を有するＡＮＩ（００００  ０１０１）である場合には、２８７２において中継テーブルからのＮＰＡが付け加えられ、２８７４においてＮＰＡが課金番号処理に付け加えられる。２８７４の後、または２８７１において２８５２におけるマッチが着信先番号を有するＡＮＩ（０００  ０１１１）である場合には、２８７６および２８７８において着信先番号パラメータの８００または８８８がチェックされる。それが８００または８８８でない場合には、処理は２８３８に進む。それが８００または８８８である場合には、処理は２９０４に進む。２８３５において発信者番号が存在する場合には、２８８０および２８８２において課金番号のチェックが行われる。２８８２において課金番号が存在する場合には、２８８４において課金番号をＡＮＩとして用いる。２８８６において課金番号がＡＮＩであり課金番号が発信者番号であるという情報が課金に送られる。処理は２８５０に進む。２８８２において課金情報が存在していない場合には、２８９０において発信者番号がＡＮＩとして用いられる。２８９１において発信者番号がＡＮＩであり発信者番号が発信者番号であるという情報が課金に送られる。２８９２および２８９３において課金パラメータのアドレスの性質がマッチされる。マッチがない場合には、２８５４においてメンテナンスに通知される。２８９３におけるマッチがＡＮＩなしである場合には、処理は２８３８に進む。２８９３におけるマッチが２８９５における加入者番号である場合には、２８９６において中継テーブルからのＮＰＡが付け加えられ、２８９７においてＮＰＡが課金番号処理に付け加えられる。次に処理は２９０４に進む。２８９３におけるマッチが２８９８における固有の番号である��合には、処理は２９０４に進む。２８９３におけるマッチが２８９９における固有でない番号である場合には、２９００においてその番号が発信者番号フィールドに配置され課金番号はブランクのままとなり、処理は２９０４に進む。２８９３におけるマッチが２９０１における試験ラインまたは試験コードである場合には、２９０２において通話に課金用の試験通話の印をつけ、処理は２９０４に進む。
２９０４（図１８Ｅ）において、発信者番号検索用のパラメータが決定される。２９０６においてパラメータが存在しない場合には、２９０８において課金番号が決定される。２９１０において課金番号が存在しない場合には、２９１２においてメンテナンスに通知され、２９１４においてインデックス１１１を有する原因が処理テーブルに送られ、２９１６において空きに至る。２９１０において課金番号が見いだされる場合には、２９１８において発信者番号を翻訳に用いる。２９１８の後、または２９０６において発信者番号パラメータが見いだされる場合には、２９２２において発信者番号がテーブル内のその範囲にマッチされる。２９２４においてどの番号もマッチしない場合には、２９２６（図１８Ｆ）においてメンテナンスに通知され、２９２８においてインデックス４５を有する原因が処理テーブルに送られ、２９３０において空きに至る。２９２４においてマッチが見いだされる場合には、３００６および３００８において次の機能がチェックされる。３０１０において照会／応答テーブルが次である場合には、３０１２においてインデックスが取得される。３０１４において通話が照会／応答テーブルに送られ、３０１６において空きに至る。３０１８においてテーブルがリストされないか、または３０２０において着信先番号テーブルが次である場合には、３０２２においてインデックスが取得される。３０２４において通話が着信先番号テーブルに送られ、３０２６において空きに至る。３０３４においてルーティングテーブルが次である場合には、３０３６においてインデックスが取得される。３０３８において通話がルーティングテーブルに送られ、３０４０において空きに至る。３０４２において中継グループテーブルが次である場合には、３０４４においてインデックスが取得される。３０４６において通話が中継テーブルの出力部に送られ、３０４８において空きに至る。
着信先番号テーブル処理
図１９Ａ−１９Ｃは、着信先番号テーブルの使用を含む。図１９Ａで、３０５０において着信先番号テーブル処理は空きであり、前の次の機能から通話が転送されると３０５２においてＢＣＭが入ってくる。３０５４において、インデックスがチェックされ、３０５６においてテーブルとマッチされる。マッチが見いだされない場合には、３０５８においてデフォールトルーティングが用いられる。３０５８の後、または３０５６においてインデックスがマッチする場合には、ＣＣＢの３１２０においてＩＡＭからの着信者番号がチェックされ、３１２２および３１２４においてアドレスの性質がチェックされる。３１２６において加入者番号が見いだされる場合には、３１２８および３１３０（図１９Ｂ）においてそのライン上の残りのエントリーのマッチがチェックされる。３１３０においてマッチが見いだされない場合には、３１３２においてメンテナンスに通知され、３１３４において４５のインデックスを有するメッセージが処理テーブルに送られ、３１３６において処理が空きになる。３１３０においてマッチが見いだされる場合には、３１３８においてＮＰＡの通話に用いるＡＮＩがチェックされる。３１４０においてＮＰＡが存在していない場合には、３１４２においてメンテナンスに通知され、処理は３１８４に進む。３１４０においてＮＰＡが存在している場合には、３１４４においてそのＮＰＡが着信先番号に付け加えられ、３１４６においてディジットがチェックされる。処理は３１８４に進む。３１５０において国内番号が見いだされる場合には、３１５２および３１５４においてそのライン上の残りのエントリーのマッチがチェックされる。３１５４においてマッチが見いだされない場合には、処理は３１３２に進む。３１５４においてマッチが見いだされる場合には、処理は３１４６に進む。３１５６において試験ラインまたはコードが見いだされる場合には、３１５８および３１６０においてそのライン上の残りのエントリーのマッチがチェックされる。３１６０においてマッチが見いだされない場合には、処理は３１３２に進む。３１６０においてマッチが見いだされる場合には、３１６２において通話ブロックにフラグをつけて試験通話を示し、処理は３１４６に進む。３１６４において国際番号が見いだされる場合には、３１６６および３１６８においてそのライン上の残りのエントリーのマッチがチェックされる。３１６８においてマッチが見いだされない場合には、処理は３１３２に進む。３１６８においてマッチが見いだされる場合には、処理は３１８４に進む。通常、この通話は国際キャリアと関連する中継グループに直接進む。３１７０において短縮またはオペレータがアシストする番号が見いだされる場合には、３１７２および３１７４においてそのライン上の残りのエントリーのマッチがチェックされる。３１７４においてマッチが見いだされない場合には、処理は３１３２に進む。３１７４においてマッチが見いだされる場合には、処理は３１８４に進む。通常、この通話はオペレータサービスと関連する中継グループに直接進む。３１７６において予備番号が見いだされる場合には、３１７８においてメンテナンスに通知され、３１８０において１１１のインデックスを有するメッセージが処理テーブルに送られ、３１８２において空きに至る。
３１８４および３１８６（図１９Ｃ）において、次の機能がチェックされる。３１８８において照会／応答が次である場合には、３１９０においてインデックスが取得される。３１９２において通話が照会／応答テーブルに送られ、３１９４において空きに至る。３２０２においてリストされるテーブルがないか、または３２０４においてルーティングテーブルが次である場合には、３２０６においてインデックスが取得される。３２０８において通話がルーティングテーブルに送られ、３２１０において空きに至る。３２１２において中継グループテーブルが次である場合には、３２１４においてインデックスが得られる。３２１６において通話が中継テーブルの出力部に送られる。３４６０において発信処理が着信処理による出力回線選択を待つ。
ルーティングテーブル処理
図２０Ａ−２０Ｄは、ルーティングテーブルの使用を含む。図２０Ａで、３２２０においてルーティングテーブルは空きである。３２２２において、前の次の機能から転送された通話でＢＣＭがテーブルに入ってくる。３２２４および３２２６において、インデックスがチェックされる。３２２６においてインデックスがマッチしない場合には、３２２８においてデフォールトルーティングが用いられる。インデックスのマッチが見いだされる場合には、３２３０においてＩＡＭの遷移ネットワーク選択（ＴＮＳ）がチェックされる。３２３６においてＴＮＳが見いだされる場合には、３２３８および３２４０においてネットワーク識別プランがテーブルにマッチされる。３２４０においてマッチが見いだされない場合には、３２４２（図２０Ｂ）においてメンテナンスに通知され、３２４４においてインデックス４５を有するメッセージが処理テーブルに送られ、３２４６において空きに至る。３２４０においてマッチが見いだされる場合には、３２４８および３２５０においてネットワーク識別タイプが決定される。タイプが国内ネットワークでない場合には、処理は３２４２に進む。タイプが国内ネットワークである場合には、３２５２および３２５４においてネットワークディジットがテーブル内でマッチされる。マッチが見いだされない場合には、処理は３２４２に進む。マッチが見いだされる場合には、３２５６および３２５８において入力メッセージ内のディジットがテーブルにマッチされる。マッチが見いだされない場合には、処理は３２４２に進む。３２３６においてＴＮＳがないか、または３２５８においてマッチが見いだされる場合には、３２６０および３２６２において第１の要求が決定される。３２６２においてこれが第１の要求である場合には、３２６４および３２６６において次の機能が用いられる。３２６７において次の機能がない場合には、３２６８においてメンテナンスに通知され、３２６９においてインデックス４１を有する原因が処理テーブルに送られ、３２７０において空きに至る。３２７１において次の機能がデータベースである場合には、３２７２においてインデックスがチェックされる。３２７３において通話が照会応答テーブルに送られ、３２７４において空きに至る。３２７５において次の機能が中継グループである場合には、３２７６においてインデックスがチェックされ、３２７８において通話が出力中継選択に送られる。３４６０において発信処理が着信処理による出力回線選択を待つ。
３２６２において次の機能が第１の要求でない場合には、３２８２（図２０Ｃ）および３２８３において第２の要求が決定される。３２８３において妥当な第２の要求が見いだされる場合には、３２８４および３２８５においてテーブルをチェックして第２の次の機能が満たされているかどうかを調べる。３２８５において第２の次の機能が満たされていない場合には、３２８６においてメンテナンスに通知され、３２８７において原因３４を有するメッセージが処理テーブルに送られ、３２８８において空きに至る。３２８５において第２の次の機能が満たされている場合には、３２９０および３２９１において第２の次の機能が用いられる。３２９２において次の機能がない場合には、３２９３においてメンテナンスに通知され、３２９４においてインデックス４１を有する原因が処理テーブルに送られ、３２９５において空きに至る。３２９６において次の機能がデータベースである場合には、３２９７においてインデックスがチェックされる。３２９８において通話が照会応答テーブルに送られ、３２９９において空きに至る。３３００において次の機能が中継グループである場合には、３３０２においてインデックスがチェックされ、３３０４において通話が出力中継選択に送られる。３４６０において発信処理が着信処理による出力回線選択を待つ。
３２８３において妥当な第２の要求が見いだされない場合には、３３０８（図２０Ｄ）および３３１０においてテーブルをチェックしてその要求が第３の試みであるかどうかを調べる。３３１０において第３の要求が妥当でない場合には、３３１２においてメンテナンスに通知され、３３１４において原因３４を有するメッセージが処理テーブルに送られ、３３１６において空きに至る。３３１０において要求が妥当である場合には、３３１８および３３２０においてテーブルをチェックして第３の次の機能が満たされているかどうかを調べる。３３２０において第３の次の機能が満たされていない場合には、３３２２においてメンテナンスに通知され、３３２４において原因３４を有するメッセージが処理テーブルに送られ、３３２６において空きに至る。３３２０において第３の次の機能が満たされている場合には、３３２８および３３３０において第３の次の機能が用いられる。３３３２において次の機能がない場合には、３３３３においてメンテナンスに通知され、３３３４においてインデックス４１を有する原因が処理テーブルに送られ、３３３５において空きに至る。３３３６において次の機能が中継グループである場合には、３３３７においてインデックスがチェックされ、３３３８において通話が出力中継選択に送られる。３４６０において発信処理が着信処理による出力の回線選択を待つ。３３３９において次の機能がデータベースである場合には、３３４０においてインデックスがチェックされる。３３４１において通話が照会応答テーブルに送られ、３３４２において空きに至る。３３４３において次の機能がルーティングテーブルである場合には、３３４４においてマッチするサブインデックスがチェックされる。３３４５にいおいてマッチが見いだされない場合には、３３４６においてメンテナンスに通知され、３３４７においてインデックス４１を有する原因が処理テーブルに送られ、３３４８において空きに至る。３３４５においてマッチが見いだされる場合には、３３４９においてＣＣＢが第１の次の機能にリセットされ、処理は３２６０に進む。
処理テーブル処理
図２１Ａ−２１Ｄは、処理テーブルの使用を含む。図２１Ａで、３３５０において処理テーブルは空きであり、メッセージが受け取られると３３５２においてＢＣＭがテーブルに入ってくる。３３５４および３４５６において、メッセージの起源がチェックされる。メッセージが入力ＲＥＬメッセージである場合には、３３５８において原因番号が処理テーブルにおけるインデックスに対応付けられる。３３６０において、インデックスおよびメッセージの受け取られたフィールドを用いてテーブルに入力する。３３６２において番号が見いだされない場合には、３３６３においてメンテナンスに通知され、３３６４および３３６５においてその通話がＣＣＭ内であるかどうかが決定される。３３６５においてその通話がＣＣＭ内の場合には、３３６６（図２１Ｂ）において内部ＲＥＬが送られる。３３６５においてその通話がＣＣＭ内でない場合には、３３６７において、受け取られたのと同じ原因を有する外部ＲＥＬが送られる。３３６６または３３６７の後、３３６８においてＣＯＴが用いられるかどうかが決定される。１が存在する場合、３３７０において入力導通処理がストップし、３３７２においてＣＯＴタイマがストップする。３３６８において２が存在する場合、３３７２においてＣＯＴタイマがストップする。３３７２の後、または３３６８において０が存在する場合、３３７４において回線に過渡の印をつける。３３７６においてＲＬＣタイマがスタートし、３３７８においてｓｅｎｄＲＥＬタイマがスタートする。３３８０においてエコー制御がリセットされ、３７２４において発信処理がＲＬＣを待つ。３３６２において番号が見いだされる場合には、３３８４および３３８６においてテーブル内の原因値がチェックされる。３３８６においてフィールドが満たされていない場合には、３３８８および３３９０において次の機能がチェックされる。３３９０において次の機能のタイプがないまたは開放である場合には、処理は３３６４に進む。３３９０における他のタイプの次の機能はすべて、３３９２においてその原因値を無視する。３３９４において次の機能を用いて３３９６において空きに至る。３３８６においてフィールドが満たされている場合には、３３９８および３４００において次の機能がチェックされる。３４００における次の機能がないまたは開放である場合には、３４０１および３４０２においてその通話がＣＣＭ内であるかどうかが決定される。３４０２においてその通話がＣＣＭ内である場合には、３４０３において内部ＲＥＬが送られる。３４０２においてその通話がＣＣＭ内でない場合には、３４０４において新しい原因を有する外部ＲＥＬが送られる。３４０３または３４０４の後、処理は３３６８に進む。３４００における他のタイプの次の機能はすべて、３４０５においてその原因値を無視する。３４０６において次の機能が用いられ、３４０８において空きに至る。
３３５６においてメッセージがＣＣＭに起源を持つ場合には、３４１０（図２１Ｃ）においてインデックス番号がチェックされる。３４１０において番号が見いだされない場合には、３４１１においてメンテナンスに通知され、３４１２および３４１３においてその通話がＣＣＭ内であるかどうかが決定される。３４１３においてその通話がＣＣＭ内の場合には、３４１４において内部ＲＥＬが送られる。３４１３においてその通話がＣＣＭ内でない場合には、３４１５（図２１Ｄ）において、受け取られたのと同じ原因を有する外部ＲＥＬが送られる。３４１４または３４１５の後、３４１６においてＣＯＴが用いられるかどうかが決定される。１が存在する場合、３４１８において入力導通処理がストップし、３４２０においてＣＯＴタイマがストップする。３４１６において２が存在する場合、３４２０においてＣＯＴタイマがストップする。３４２０の後、または３４１６において０が存在する場合、３４２２において回線に過渡の印をつける。３４２４においてＲＬＣタイマがスタートし、３４２６においてｓｅｎｄＲＥＬタイマがスタートする。３４２８においてエコー制御がリセットされ、３７２４において発信処理がＲＬＣを待つ。３４１０において番号が見いだされる場合には、３４３２においてインデックスラインに従って、３４３４および３４３６においてテーブル内の原因値がチェックされる。３４３６においてフィールドが満たされていない場合には、３４３８および３４４０において次の機能がチェックされる。３４４０において次の機能のタイプがないまたは開放である場合には、処理は３４１２に進む。３４４０における他のタイプの次の機能はすべて、３４４２において用いられ、３４４４において空きに至る。３４３６においてフィールドが満たされている場合には、３４４６および３４４８において次の機能がチェックされる。３４４８における次の機能がないまたは開放である場合には、３４４９および３４５０においてその通話がＣＣＭ内であるかどうかが決定される。３４５０においてその通話がＣＣＭ内である場合には、３４５１において内部ＲＥＬが送られる。３４５０においてその通話がＣＣＭ内でない場合には、３４５２において新しい原因を有する外部ＲＥＬが送られる。３４５１または３４５２の後、処理は３４１６に進む。３４４８における他のタイプの次の機能はすべて、３４５３においてその原因値を無視する。３４５４において次の機能が用いられ、３４５６において空きに至る。
発信処理−通話完了
上記の様々なポイントにおいて、通話の入力側を取り扱う発信処理は、着信処理を待って通話完了前に通話の出力側に何らかの作用を及ぼしてもよい。例として、着信処理を待って出力中継グループを選択したりＡＣＭ、ＡＮＭ、またはＲＬＣを受け取ることがある。発信処理はまた、通話の入力側からＲＬＣを受け取ってもよい。図２２Ａ−２２Ｑは、ＢＣＭの発信処理によるこの通話完了処理を示す。
図２２Ａで、３４６０において、発信処理は着信処理による出力の回線選択を待つ。３４６１において出力回線が選択されると、３４６２においてＣＯＴが受け取られているかどうかが決定される。ＣＯＴが受け取られていない場合には、３４６３および３４６４においてＣＣＢのＣＯＴインジケータがチェックされる。０が見いだされる（ＣＯＴが不要）場合には、処理は３５２０に進む。３４６４において１または２が見いだされる（ＣＯＴが必要）場合には、処理は２３４４に進む。３４６２においてＣＯＴが受け取られている場合には、３４６５においてＣＯＴ結果が着信処理に送られ、処理は３５２０に進む。３４６６において内部ＲＥＬが受け取られるか、または３４６７において外部ＲＥＬが受け取られる場合には、３４６８において導通チェックが必要かどうかが決定される。この回線上で導通チェックが必要な（１）場合には、３４６９において入力導通チェック処理がストップし、３４７０においてｓｔｏｐＣＯＴタイマがストップする。前の回線上で導通チェックが必要な（２）場合には、処理は３４７０に進む。３４７０の後、または導通チェックが必要でない（０）場合には、３４７８において開放要求が着信処理に送られ、３４８０（図２２Ｂ）において開放時点が課金に送られる。３４８１および３４８２においてその通話がＣＣＭ内であるかどうかが決定される。３４８２においてその通話がＣＣＭ内である場合には、３４８３において内部ＲＬＣが送られる。３４８２においてその通話がＣＣＭ内でない場合には、３４８４において外部ＲＬＣが送られる。３４８３または３４８４の後、３４８５において中継回線テーブル内で回線に空きの印をつける。３４８６において空きに至る。３４７９においてリセットが受け取られる場合には、３４８７において導通チェックが必要かどうかが決定される。この回線上で導通チェックが必要な（１）場合には、３４８８において入力導通チェック処理がストップし、３４８９においてｓｔｏｐＣＯＴタイマがストップする。前の回線上で導通チェックが必要な（２）場合には、処理は３４８９に進む。３４８９の後、または導通チェックが必要でない（０）場合には、３４９０において開放要求が着信処理に送られ、３４９１において開放時点が課金に送られる。３４９２および３４９３においてその通話がＣＣＭ内であるかどうかが決定される。３４９３においてその通話がＣＣＭ内である場合には、３４９４において内部ＲＬＣが送られる。３４９３においてその通話がＣＣＭ内でない場合には、３４９５において外部ＲＬＣが送られる。３４９４または３４９５の後、３４９６において中継回線テーブル内で回線に空きの印をつける。３４９７において空きに至る。
３４９８（図２２Ｃ）において回線照会から開放が受け取られるか、または３４９９において外部ＲＬＣが受け取られるか、または３５００において内部ＲＬＣが受け取られる場合には、３５０１において開放要求が着信処理に送られ、３５０２において開放時点が課金に送られる。３５０３においてインデックス４１を有するメッセージが処理テーブルに送られ、３５０４において空きに至る。３５０５において回線選択失敗が受け取られると、処理は３５０２に進む。６０００においてＣＯＴが受け取られると、６００２において導通チェックが必要かどうかが決定される。この回線上で導通チェックが必要な（１）場合には、６００４において入力導通チェック処理がストップし、６００６においてｓｔｏｐＣＯＴタイマがストップする。前の回線上で導通チェックが必要な（２）場合には、処理は６００６に進む。導通チェックが必要でない（０）場合には、６００８において回線リセット送信処理が呼び出され、６０１０において空きに至る。６００６の後、６０１２においてＣＯＴ成功または失敗の指示がＣＣＢに送られる。６０１４においてＣＯＴが成功でない場合には、６０１６においてメンテナンスに通知され、処理は３４６０に戻る。６０１４においてＣＯＴが成功である場合には、６０１８において開放要求が着信処理に送られる。６０２０において導通再チェック処理が呼び出され、６０２２において空きに至る。
３５０６（図２２Ｄ）において内部情報メッセージが受け取られるか、または３５０７において外部情報メッセージが受け取られる場合には、３５０８においてそのメッセージは着信処理に送られ、処理は３４６０に戻る。３５０９においてブロッキング要求が受け取られる場合には、３５１０においてそれは無視され、処理は３４６０に戻る。３５１１においてリトライメッセージが受け取られる場合には、処理は２２８０に進む。３５１２においてＣＯＴタイムアウトが受け取られる場合には、３５１３において開放時点が課金に送られ、３５１４においてインデックス４１を有する原因が処理テーブルに送られる。３５１５において、着信処理に開放要求が送られ、３５１６において導通チェックが必要かどうかが決定される。この回線上で導通チェックが必要な（１）場合には、３５１７において入力導通チェック処理がストップし、３５１８において空きに至る。導通チェックが必要でない（０）場合には、３５１８において空きに至る。６０２６において他の内部メッセージが受け取られるか、または６０２８において他の外部メッセージが受け取られる場合には、６０３０において導通チェックが必要かどうかが決定される。この回線上で導通チェックが必要な（１）場合には、６０３２において入力導通チェック処理がストップし、６０３４においてｓｔｏｐＣＯＴタイマがストップする。前の回線上で導通チェックが必要な（２）場合には、処理は６０３４に進む。６０３４の後、または導通チェックが必要でない（０）場合には、６０３６において開放要求が着信処理に送られる。６０３８において導通再チェック処理が呼び出され、６０４０において空きに至る。
３５２０（図２２Ｅ）において、発信処理は着信処理からのＡＣＭを待つ。３５２２においてＡＣＭが受け取られると、３５２３において中継回線テーブル内で回線に話中の印をつける。３５２４においてＡＣＭ時点が課金に送られ、３５２５および３５２６においてその通話がＣＣＭ内であるかどうかが決定される。３５２６においてその通話がＣＣＭ内である場合には、３５２７において内部ＡＣＭが送られる。３５２６においてその通話がＣＣＭ内でない場合には、３５２７において外部ＡＣＭが送られる。３５２６または３５２７の後、３５２９および３５３０（図２２Ｆ）において中継グループテーブルがチェックされて入力中継グループが機械間中継（ＩＭＴ）であるかどうかを調べる。そうでない場合には、処理は３６００に進む。ＩＭＴである場合には、３５３１において出力回線番号を有する出力メッセージがＣＣＢから形成される。３５３２および３５３３においてその通話がＣＣＭ内であるかどうかが決定される。３５３３においてその通話がＣＣＭ内である場合には、３５３４において内部出力メッセージが送られる。３５３３においてその通話がＣＣＭ内でない場合には、３５３５において外部出力メッセージが送られる。３５３４または３５３５の後、処理は３６００に進む。３５３８において着信処理から応答メッセージが受け取られる場合には、３５３９において中継回線テーブル内で回線に話中の印をつける。３５４０および３５４１において、中継グループテーブルがチェックされて入力中継グループが機械間中継（ＩＭＴ）であるかどうかを調べる。３５４１においてＩＭＴでない場合には、処理は３５４７に進む。３５４１においてＩＭＴである場合には、３５４２において出力回線番号を有する出力メッセージがＣＣＢから形成される。３５４３および３５４４においてその通話がＣＣＭ内であるかどうかが決定される。３５４４においてその通話がＣＣＭ内である場合には、３５４５において内部出力メッセージが送られる。３５４４においてその通話がＣＣＭ内でない場合には、３５４６において外部出力メッセージが送られる。３５４５または３５４６の後、３５４７において応答時点が課金に送られる。３５４８および３５４９においてその通話がＣＣＭ内であるかどうかが決定される。３５４９においてその通話がＣＣＭ内である場合には、３５５０において内部ＡＮＭが送られる。３５４９においてその通話がＣＣＭ内でない場合には、３５５１において外部ＡＮＭが送られる。３５５０または３５５１の後、処理は３６７０に進む。２５５２においてリセットが受け取られると、３５５３において開放要求が着信処理に送られ、３５５４において開放時点が課金に送られる。３５５５および３５５６においてその通話がＣＣＭ内であるかどうかが決定される。３５５６においてその通話がＣＣＭ内である場合には、３５５７において内部ＲＬＣが送られる。３５５６においてその通話がＣＣＭ内でない場合には、３５５８において外部ＲＬＣが送られる。３５５７または３５５８の後、３５５９において中継回線テーブル内で回線に空きの印をつける。３５６０において空きに至る。
３５６２（図２２Ｇ）において外部ＲＥＬが受け取られるか、または３５６３において内部ＲＥＬが受け取られる場合には、３５６４において開放要求が着信処理に送られ、３５６５において開放時点が課金に送られる。３５６６および３５６７においてその通話がＣＣＭ内であるかどうかが決定される。３５６７においてその通話がＣＣＭ内である場合には、３５６８において内部ＲＬＣが送られる。３５６７においてその通話がＣＣＭ内でない場合には、３５６９において外部ＲＬＣが送られる。３５６８または３５６９の後、３５７０（図２２Ｈ）において中継回線テーブル内で回線に空きの印をつける。３５７２において空きに至る。３５７５において外部ＲＬＣが受け取られるか、または３５７６において内部ＲＬＣが受け取られる場合には、３５７７において空き時点が課金に送られ、３５７８において開放要求が着信処理に送られる。３５７９において、原因４１を有するメッセージが処理テーブルに送られ、３５８０において空きに至る。３５７４において開放が回線照会から受け取られると、処理は３５７８に進む。３５８１において開放要求が着信処理から受け取られるか、または３５８２において出力回線失敗が受け取られると、処理は３５７９に進む。３５８３において他の内部メッセージが受け取られるか、または３５８４において他の外部メッセージが受け取られる場合には、３５８５においてそれらが無視され、処理は３５２０に戻る。３５８６においてブロッキング要求が受け取られる場合には、３５８７においてそれは無視され、処理は３５２０に進む。３５９０において通話進行メッセージが着信処理から受け取られる場合には、３５９１および３５９２においてその通話がＣＣＭ内であるかどうかが決定される。３５９２においてその通話がＣＣＭ内である場合には、３５９３において内部ＣＰＭが送られる。３５９２においてその通話がＣＣＭ内でない場合には、３５９４において外部ＣＰＭが送られる。３５９３または３５９４の後、処理は３５２０に戻る。
３６００（図２２Ｉ）において、発信処理は着信処理からの応答メッセージを待つ。３６０２において着信処理から応答メッセージが受け取られる場合には、３６０４において中継回線テーブル内で回線に話中の印をつける。３６０６において応答時点が課金に送られ、３６０７および３６０８においてその通話がＣＣＭ内であるかどうかが決定される。３６０８においてその通話がＣＣＭ内である場合には、３６０９において内部ＡＮＭが送られる。３６０８においてその通話がＣＣＭ内でない場合には、３６１０において外部ＡＮＭが送られる。３６０９または３６１０の後、処理は３６７０に進む。３６１２においてブロッキング要求が受け取られる場合には、３６１４においてそれは無視され、処理は３６００に進む。３６１８において通話進行メッセージが着信処理から受け取られる場合には、３６１９および３６２０においてその通話がＣＣＭ内であるかどうかが決定される。３６２０においてその通話がＣＣＭ内である場合には、３６２１において内部ＣＰＭが送られる。３６２０においてその通話がＣＣＭ内でない場合には、３６２２において外部ＣＰＭが送られる。３６２１または３６２２の後、処理は３５２０に戻る。３６２４においてリセットが受け取られると、３６２６において開放要求が着信処理に送られ、３６２８において開放時点が課金に送られる。３６２９および３６３０においてその通話がＣＣＭ内であるかどうかが決定される。３６３０においてその通話がＣＣＭ内である場合には、３６３１において内部ＲＬＣが送られる。３６３０においてその通話がＣＣＭ内でない場合には、３６３２において外部ＲＬＣが送られる。３６３１または３６３２の後、３６３３において中継回線テーブル内で回線に空きの印をつける。３６３４において空きに至る。
３６３６（図２２Ｊ）において外部ＲＥＬが受け取られるか、または３６３７において内部ＲＥＬが受け取られる場合には、３６３８において開放要求が着信処理に送られ、３６４０において開放時点が課金に送られる。３６４１および３６４２においてその通話がＣＣＭ内であるかどうかが決定される。３６４２においてその通話がＣＣＭ内である場合には、３６４３において内部ＲＬＣが送られる。３６４２においてその通話がＣＣＭ内でない場合には、３６４４において外部ＲＬＣが送られる。３６４３または３６４４の後、３６４５（図２２Ｋ）において中継回線テーブル内で回線に空きの印をつける。３６４６において空きに至る。３６４９において外部ＲＬＣが受け取られるか、または３６５０において内部ＲＬＣが受け取られる場合には、３６５１において空き時点が課金に送られ、３６５２において開放要求が着信処理に送られる。３５５３において、原因４１を有するメッセージが処理テーブルに送られ、３６５４において空きに至る。３６４８において開放が回線照会から受け取られると、処理は３６５２に進む。３６５６において開放要求が着信処理から受け取られると、処理は３６５３に進む。３６５８において出力回線失敗が受け取られると、３６５９において原因４１を有するメッセージが処理テーブルに送られ、３６６０において空きに至る。３６６１において他の内部メッセージが受け取られるか、または３６６２において他の外部メッセージが受け取られる場合には、３６６４においてそれらが無視され、処理は３５２０に戻る。
３６７０（図２２Ｌ）において、発信処理は、入力回線が応答されているということを示すＡＮＭを前に受け取っている。３６７２において外部ＲＥＬが受け取られるか、または３６７３において内部ＲＥＬが受け取られる場合には、３６７４において開放要求が着信処理に送られ、３６７６において開放時点が課金に送られる。３６７７および３６７８においてその通話がＣＣＭ内であるかどうかが決定される。３６７８においてその通話がＣＣＭ内である場合には、３６７９において内部ＲＬＣが送られる。３６７８においてその通話がＣＣＭ内でない場合には、３６８０において外部ＲＬＣが送られる。３６７９または３６８０の後、３６８１において中継回線テーブル内で回線に空きの印をつける。３６８２において空きに至る。３６８３において他の内部メッセージが受け取られるか、または３６８４において他の外部メッセージが受け取られる場合には、３６８６においてそれらが無視され、処理は３６７０に戻る。３６８７においてブロッキング要求が受け取られる場合には、３６８８においてそれは無視され、処理は３６７０に進む。３６９０においてリセットが受け取られると、３６９２において開放要求が着信処理に送られ、３６９４において開放時点が課金に送られる。３６９５および３６９６においてその通話がＣＣＭ内であるかどうかが決定される。３６９６においてその通話がＣＣＭ内である場合には、３６９７において内部ＲＬＣが送られる。３６９６においてその通話がＣＣＭ内でない場合には、３６９８において外部ＲＬＣが送られる。３６９７または３６９８の後、３６９９において中継回線テーブル内で回線に空きの印をつける。３７００において空きに至る。
３７０２（図２２Ｍ）において開放が回線照会から受け取られると、処理は３７０８に進む。３７０３において内部ＲＬＣが受け取られるか、または３７０４において外部ＲＬＣが受け取られる場合には、３７０６において空き時点が課金に送られ、３７０８において開放要求が着信処理に送られる。３７１０において、原因４１を有するメッセージが処理テーブルに送られ、３７１２において空きに至る。３７１３において開放要求が着信処理から受け取られると、処理は３７１０に進む。３７１４においてネットワーク保留が着信処理から受けとられると、３７１５および３７１６においてその通話がＣＣＭ内であるかどうかが決定される。３７１６においてその通話がＣＣＭ内である場合には、３７１７において内部ＳＵＳが送られる。３７１６においてその通話がＣＣＭ内でない場合には、３７１８において外部ＳＵＳが送られる。３７１７または３７１８の後、処理は３７２０に進む。
３７２０（図２２Ｎ）において、発信処理は、入力回線が保留されているということを示すＳＵＳを前に受け取っている。３７２１において外部ＲＥＬが受け取られるか、または３７２２において内部ＲＥＬが受け取られる場合には、３７２３において開放要求が着信処理に送られ、３７２５において開放時点が課金に送られる。３７２６および３７２７においてその通話がＣＣＭ内であるかどうかが決定される。３７２７においてその通話がＣＣＭ内である場合には、３７２８において内部ＲＬＣが送られる。３７２７においてその通話がＣＣＭ内でない場合には、３７２９において外部ＲＬＣが送られる。３７２８または３７２９の後、３７３０において中継回線テーブル内で回線に空きの印をつける。３７３１において空きに至る。３７３２においてブロッキング要求が受け取られる場合には、３７３３においてそれは無視され、処理は３７２０に戻る。３７３５において外部ＲＬＣが受け取られるか、または３７３６において内部ＲＬＣが受け取られる場合には、３７３７において空き時点が課金に送られ、３７３８において開放要求が着信処理に送られる。３７３９において、原因４１を有するメッセージが処理テーブルに送られ、３７４０において空きに至る。３７３３において開放が回線照会から受け取られると、処理は３７３８に進む。
３７４１（図２２Ｏ）において開放要求が着信処理から受け取られると、３７４２において原因４１を有するメッセージが処理テーブルに送られ、３７４３において空きに至る。３７４４においてリセットが受け取られると、３７４５において開放要求が着信処理に送られ、３７４６において開放時点が課金に送られる。３７４７および３７４８においてその通話がＣＣＭ内であるかどうかが決定される。３７４８においてその通話がＣＣＭ内である場合には、３７４９において内部ＲＬＣが送られる。３７４８においてその通話がＣＣＭ内でない場合には、３７５０において外部ＲＬＣが送られる。３７４９または３７５０の後、３７５１において中継回線テーブル内で回線に空きの印をつける。３７５２において空きに至る。３７５３において着信処理からネットワーク再開が受け取られると、３７５４および３７５５においてその通話がＣＣＭ内であるかどうかが決定される。３７５５においてその通話がＣＣＭ内である場合には、３７５６において内部ＲＥＳが送られる。３７５５においてその通話がＣＣＭ内でない場合には、３７５７において外部ＲＥＳが送られる。３７５６または３７５７の後、処理は３７２０に進む。３７５８において他の内部メッセージが受け取られるか、または３７５９において他の外部メッセージが受け取られる場合には、３７６０においてそれらが無視され、処理は３７２０に戻る。
３７２４（図２２Ｐ）において、発信処理はＲＬＣを待つ。３７６１において外部ＲＬＣが受け取られるか、または３７６２において内部ＲＬＣが受け取られる場合には、３７６３において空き時点が課金に送られ、３７６４においてＲＬＣタイマがストップする。３７６５において、ｓｅｎｄ開放タイマがストップする。３７６６において空きに至る。３７６７においてＲＬＣタイマが停止する場合には、３７６８においてｓｅｎｄ開放タイマがストップし、３７６９においてメッセージが回線リセットに送られる。３７７０において、メンテナンスに通知され、３７７１において空きに至る。３７７２において他の外部メッセージが受け取られるか、または３７７３において他の内部メッセージが受け取られる場合には、３７７４においてそれらが無視され、処理は３７２４に戻る。３７７５（図２２Ｑ）において外部ＲＥＬが受け取られるか、または３７７６において内部ＲＥＬが受け取られる場合には、３７７７において開放時点が課金に送られる。３７７８および３７７９においてその通話がＣＣＭ内であるかどうかが決定される。３７７９においてその通話がＣＣＭ内である場合には、３７８０において内部ＳＵＳが送られる。３７７９においてその通話がＣＣＭ内でない場合には、３７８１において外部ＳＵＳが送られる。３７８０または３７８１の後、処理は３７２４に戻る。３７８２においてリセットが受け取られる場合には、３７８３においてＲＬＣタイマがストップする。３７８４において、ｓｅｎｄ開放タイマがストップし、３７８５において中継回線テーブル内で回線に空きの印をつける。３７８６において空きに至る。３７８７においてｓｅｎｄＲＥＬタイマが停止する場合には、３７８８において原因４１を有するメッセージが処理テーブルに送られる。３７８９においてｓｅｎｄＲＥＬタイマがセットされ、処理は３７２４に戻る。
出力通話用の中継回線および中継グループテーブルの処理
図２３Ａ−２３Ｔは、ＢＣＭの着信処理による中継テーブル処理を示す。図２３Ａで３８００において、着信処理は空きである。３８０２において着信処理は発信処理から中継グループテーブル用の次の機能を受け取る。３８０６および３８０８においてインデックスがマッチされる。マッチが見いだされない場合には、３８１０においてメンテナンスに通知され、３８１２において原因４５を有するメッセージが処理テーブルに送られ、３８１４において空きに至る。３８０８においてマッチする中継グループが見いだされる場合には、中継グループ回転方式が３８１６においてチェックされ、３８２０において決定される。３８２２および３８２４（図２３Ｂ）において回転が最大の空き（ＭＩＤＬ）である場合には、３８２６においてメッセージが最大の空きの中継選択処理に送られる。この処理は、３８２８において最も長い時間空きであった中継を決定し、３８３０において中継選択を着信処理に戻す。処理は次に３８７０に進む。３８２２および３８２４において回転が最少の空きである場合には、３８３２においてメッセージが最も空きなし（ＬＩＤＬ）の中継選択処理に送られる。この処理によって、３８３４において最も短い時間空きであった中継を決定し、３８３６において中継選択を着信処理に戻す。処理は次に３８７０に進む。３８３８および３８４０において回転が上昇中（ＡＳＥＱ）である場合には、３８４２においてメッセージが上昇中継選択処理に送られる。この処理は、３８４４において昇順で次の中継を決定し、３８４６において中継選択を着信処理に戻す。処理は次に３８７０に進む。３８３８および３８４０において回転が下降中（ＤＥＳＥＱ）である場合には、３８４８においてメッセージが下降中継選択処理に送られる。この処理は、３８５０において降順で次の中継を決定し、３８５２において中継選択を着信処理に戻す。処理は次に３８７０に進む。３８５４および３８５６において回転が時計回り（ＣＷＣＴＨ）である場合には、３８５８においてメッセージが時計回り中継選択処理に送られる。この処理は、３８６０において時計回りで次の中継を決定し、３８６２において中継選択を着信処理に戻す。処理は次に３８７０に進む。３８５４および３８５６において回転が反時計回りである場合には、３８６４においてメッセージが反時計回り（ＣＣＷＣＴＨ）中継選択処理に送られる。この処理は、３８６６において反時計回りで次の中継を決定し、３８６８において中継選択を着信処理に戻す。処理は次に３８７０に進む。
３８７０（図２３Ｃ）において、衛星インジケータがチェックされ、３８７２において前の入力回線上で衛星が用いられた場合には、３８７４および３８７６において中継グループテーブルがチェックされて選択された中継が衛星を用いているかどうかが決定される。衛星が再び用いられる場合には、３８７８においてメンテナンスに通知され、３８８０において原因４７を有するメッセージが処理テーブルに送られ、３８８２において空きに至る。３８７６において衛星が再び用いられない場合には、３８８４および３８８６（図２３Ｄ）においてホップカウンタがチェックされる。ホップカウンタがアクティブである場合には、３８８８および３８９０においてＣＣＢがチェックされる。ＣＣＢにおいてホップカウンタが見いだされる場合には、３８９２において１だけデクリメントされる。３８９４においてホップカウンタが現在ゼロである場合には、３８９６においてメンテナンスに通知され、３８９８において原因４７を有するメッセージが処理テーブルに送られ、３９００において空きに至る。３８７２において入力回線上で衛星が用いられなかった場合には、３９０２および３９０４において中継グループテーブルがチェックされ、選択された出力回線（ＯＧＴ）が衛星を用いるかどうかが決定される。３９０４において衛星が再び用いられる場合には、３９０６においてネットワークインジケータが変更されて衛星が用いられたということを示す。３９０６の後、または３９０４において衛星が用いられない場合には、処理は３８８４に進む。３８９０における決定がノーの場合には、３８９１においてＩＡＭホップカウントが２０だけインクリメントされ、処理は３９０８に進む。３８８６または３８９４のどちらかにおける決定がノーである場合には、処理は３９０８に進む。３９０８において、サービスインジケータフィールドがチェックされる。３９１２において、中継のタイプが決定される。
ＴＤＭ中継（アクセス）の場合には、３９１４（図２３Ｅ）において中継グループのＣＯＴ能力がチェックされる。３９１６において割合計算が行われ、３９１８において導通チェックが必要かどうかが決定される。３９１２において中継のタイプがＡＴＭ中継（ＩＭＴ）であるか、または３９１８において導通チェックが必要でない場合には、３９２０においてＩＡＭパラメータが決定される。３９２２において中継がメッセージインデックスを有する場合には、３９２４においてメッセージがメッセージテーブルに送られ、３９２６において応答が受け取られる。３９２８および３９３０（図２３Ｆ）において応答、ＣＩＣ、および関連するポイントコードを用いてＩＡＭを形成する。処理は次に３９３６に進む。３９２２においてインデックスが見いだされない場合には、３９３２および３９３４において入力ＩＡＭ、ＣＩＣ、および関連するポイントコードを用いてＩＡＭを形成する。３９３０または３９３４の後、３９３６においてメッセージがその回線を有するｍｕｘおよびエコーキャンセラに送られ−−ＶＰＩ／ＶＣＩ割り当て−−、３９８３においてｍｕｘタイマがセットされる。３９１８において導通チェックが必要な場合には、３９４２においてＩＡＭパラメータが決定される。３９４４において中継がメッセージインデックスを有する場合には、３９４６においてメッセージがメッセージテーブルに送られ、３９４８において応答が受け取られる。３９５０および３９５２において応答、ＣＩＣ、および関連するポイントコードを用いてＩＡＭを形成する。次に処理は３９５８に進む。３９４４においてインデックスが見いだされない場合は、３９５４および３９５６において入力ＩＡＭ、ＣＩＣおよび関連するポイントコードを用いてＩＡＭを形成する。３９５２または３９５６の後、３９５８においてエコー制御が評価される。エコー制御が必要でない場合、３９６０においてメッセージがその回線を有するｍｕｘに送られ−−ＶＰＩ／ＶＣＩ割り当て−−、３９６２においてｍｕｘタイマがセットされる。処理は３９６８に進む。３９５８においてエコー制御が必要な場合は、３９６４においてその回線を有するｍｕｘおよびエコーキャンセラに送られ−−ＶＰＩ／ＶＣＩ割り当て−−、３９６６においてｍｕｘタイマがセットされる。
３９６８（図２３Ｇ）において着信処理はｍｕｘ応答を待つ。３９７０においてｍｕｘからメッセージが受け取られる場合は、３９７２において応答のタイプが決定される。受け入れである場合には、３９７４において回線に過渡の印をつけ、３９７５において選択した出力回線を識別するメッセージが発信処理に送られる。３９７６および３９７７（図２３Ｈ）においてその通話がＣＣＭ内であるかどうかが決定される。３９７７においてその通話がＣＣＭ内である場合には、３９７８において導通を有する内部ＩＡＭが送られる。３９７７においてその通話がＣＣＭ内でない場合には、３９７９において導通を有する外部ＩＡＭが送られる。３９７８または３９７９の後、３９８０においてメッセージが送られて出力導通手続きが呼び出される。３９８２においてＡＣＭタイマがセットされ、処理は４１００に進む。３９７２における応答が拒絶である場合、３９８６においてメンテナンスに通知される。３９８６の後、６０５０および６０５２において同じ中継グループ内での再試みがチェックされる。６０５２において再試みが許可されない場合、６０５４において通話カウンタが次の要求までインクリメントされ、６０５６において次の機能が用いられ、処理は３２８２に進む。６０５２において再試みが許可される場合、６０５８および６０６０においてＣＣＢ内で第１の試みがチェックされる。６０６０においてこれが第１の試みでない場合、６０６２において通話カウンタが次の要求までインクリメントされ、６０６４において次の機能が用いられ、処理は３２８２に進む。６０６０においてこれが最初の試みである場合、６０６６において回線にメンテナンス話中の印をつけ、６０６８において回線ブロッキング処理が呼び出される。６０７０においてＣＣＢ内で通話の再試みがインクリメントされ、６０７２においてその通話が同じ中継グループに関してリトライされる。処理は３８１６に進む。
３９９２（図２３Ｉ）においてタイマが終わると、３９９４においてメンテナンスに通知され、３９９６において異なる割り当てを有する第２のメッセージがｍｕｘに送られる。３９９８においてｍｕｘタイマがセットされ、４０００において応答が待たれる。４００２においてタイマが終わると、４００４においてメンテナンスに通知され、４００６において原因３８を有するメッセージが処理テーブルに送られ、４００８（図２３Ｊ）において開放時点が課金に送られ、４０１０において空きに至る。４０１２においてメッセージがｍｕｘから受け取られる場合、４０１４において応答のタイプが決定される。受け入れである場合、４０１６において回線に過渡の印をつけ、４０１７において選択した出力回線を識別するメッセージが発信処理に送られる。４０１８および４０１９においてその通話がＣＣＭ内であるかどうかが決定される。４０１９においてその通話がＣＣＭ内である場合には、４０２０において導通を有する内部ＩＡＭが送られる。４０１９においてその通話がＣＣＭ内でない場合には、４０２１において導通を有する外部ＩＡＭが送られる。４０２０または４０２１の後、４０２２においてメッセージが送られて出力導通手続きが呼び出される。４０２４においてＡＣＭタイマがセットされ、処理は４１００に進む。４０１４における応答が拒絶である場合、６０７６において同じ中継グループ内での再試みがチェックされる。６０７６において再試みが許可されない場合、６０７８において通話カウンタが次の要求までインクリメントされ、６０８０において次の機能が用いられ、処理は３２８２に進む。６０７６において再試みが許可される場合、６０８２および６０８４においてＣＣＢ内で第１の試みがチェックされる。６０８４においてこれが第１の試みでない場合、６０８６において通話カウンタが次の要求までインクリメントされ、６０８８において次の機能が用いられ、処理は３２８２に進む。６０８４においてこれが第１の試みである場合、６０９０において回線にメンテナンス話中の印をつけ、６０９２において回線ブロッキング処理が呼び出される。６０９４においてＣＣＢ内で通話の再試みがインクリメントされ、６０９６においてその通話が同じ中継グループに関してリトライされる。処理は３８１６に進む。
４０４０（図２３Ｋ）において着信処理はｍｕｘ応答を待つ。４０４２においてｍｕｘからメッセージが受け取られる場合は、４０４４において応答のタイプが決定される。受け入れである場合には、４０４６において回線に過渡の印をつけ、４０４７において選択した出力回線を識別するメッセージが発信処理に送られる。４０４８および４０４９（図２３Ｌ）においてその通話がＣＣＭ内であるかどうかが決定される。４０４９においてその通話がＣＣＭ内である場合には、４０５０において導通を有さない内部ＩＡＭが送られる。４０４９においてその通話がＣＣＭ内でない場合には、４０５１において導通を有さない外部ＩＡＭが送られる。４０５０または４０５１の後、４０５２においてＡＣＭタイマがセットされ、処理は４２２０に進む。４０４４における応答が拒絶である場合、４０５４においてメンテナンスに通知される。４０５４の後、６１００および６１０２において同じ中継グループ内での再試みがチェックされる。６１０２において再試みが許可されない場合、６１０４において通話カウンタが次の要求までインクリメントされ、６１０６において次の機能が用いられ、処理は３２８２に進む。６１０２において再試みが許可される場合、６１０８および６１１０においてＣＣＢ内で第１の試みがチェックされる。６１１０においてこれが最初の試みでない場合、６１１２において通話カウンタが次の要求までインクリメントされ、６１１４において次の機能が用いられ、処理は３２８２に進む。６１１０においてこれが最初の試みである場合、６１１６において回線にメンテナンス話中の印をつけ、６１１８において回線ブロッキング処理が呼び出される。６１２０においてＣＣＢ内で通話の再試みがインクリメントされ、６１２２においてその通話が同じ中継グループに関してリトライされる。処理は３８１６に進む。
４０６０（図２３Ｍ）においてタイマが終わると、４０６２においてメンテナンスに通知され、４０６４において異なる割り当てを有する第２のメッセージがｍｕｘに送られる。４０６６においてｍｕｘタイマがセットされ、４０６８において応答が待たれる。４０７０においてタイマが終わると、４０７２においてメンテナンスに通知され、４０７４において原因３８を有するメッセージが処理テーブルに送られ、４０７６（図２３Ｎ）において開放時点が課金に送られ、４０７８において空きに至る。４０８０においてメッセージがｍｕｘから受け取られる場合、４０８２において応答のタイプが決定される。受け入れである場合、４０８４において回線に過渡の印をつけ、４０８５において選択した出力回線を識別するメッセージが発信処理に送られる。４０８６および４０８７においてその通話がＣＣＭ内であるかどうかが決定される。４０８７においてその通話がＣＣＭ内である場合には、４０８８において導通を有さない内部ＩＡＭが送られる。４０８７においてその通話がＣＣＭ内でない場合には、４０８９において導通を有さない外部ＩＡＭが送られる。４０８８または４０８９の後、４０９０においてＡＣＭタイマがセットされ、処理は４２２０に進む。４０８２における応答が拒絶である場合、６１３０において同じ中継グループ内での再試みがチェックされる。６１３０において再試みが許可されない場合、６１３２において通話カウンタが次の要求までインクリメントされ、６１３４において次の機能が用いられ、処理は３２８２に進む。６１３０において再試みが許可される場合、６１３６および６１３８においてＣＣＢ内で第１の試みがチェックされる。６１３８においてこれが最初の試みでない場合、６１４０において通話カウンタが次の要求までインクリメントされ、６１４２において次の機能が用いられ、処理は３２８２に進む。６１３８においてこれが最初の試みである場合、６１４４において回線にメンテナンス話中の印をつけ、６１４６において回線ブロッキング処理が呼び出される。６１４８においてＣＣＢ内で通話の再試みがインクリメントされ、６１５０においてその通話が同じ中継グループに関してリトライされる。処理は３８１６に進む。
４１００（図２３Ｏ）において、着信処理は出力導通報告を待つ。４１０２において報告が成功である（導通チェック出力−−ＣＣＯ）場合には、４１０３においてＣＣＢが更新される。４１０４および４１０５においてその通話がＣＣＭ内であるかどうかが決定される。４１０５においてその通話がＣＣＭ内である場合には、４１０６において内部ＣＯＴ（成功）が送られる。４１０５においてその通話がＣＣＭ内でない場合には、４１０７において外部ＣＯＴ（成功）が送られる。４１０６または４１０７の後、処理は４２２０に進む。４１０８において報告が失敗である場合には、４１０９においてＡＣＭタイマがストップし、４１１０および４１１１においてその通話がＣＣＭ内であるかどうかが決定される。４１１１においてその通話がＣＣＭ内である場合には、４１１２において内部ＣＯＴ（失敗）が送られる。４１１１においてその通話がＣＣＭ内でない場合には、４１１３において外部ＣＯＴ（失敗）が送られる。４１１２または４１１３の後、４１１４（図２３Ｐ）においてリトラン機能が評価され、４１１６において許可される場合、４１１８において通話カウンタがインクリメントされる。４１２０においてリトライ通話メッセージが発信処理に送られ、４１２２において空きに至る。４１１６においてリトライが許可されない場合、４１２４において出力導通再チェック処理がメッセージで呼び出され、４１２６において空きに至る。４１３４において外部ＲＬＣが受け取られると、４１４０において通話リトライ要求が送られる。４１４０の後、４１４２において出力導通手続きが完了であるかどうかが決定される。そうではない場合、４１４４において出力導通手続きがストップし、処理は４１４６に進む。４１４２において出力導通手続きが完了である場合、処理は４１４６に進む。４１４６においてＡＣＭタイマがストップし、４１４８において原因２１を有するメッセージが処理テーブルに送られる。４１５０において回線に過渡の印をつけ、４１５２において開放時点が課金に送られる。４１５４において、ＲＬＣタイマがセットされ、４１５６において、ｓｅｔＲＥＬタイマがセットされる。処理は４５７０に進む。４１３３において内部ＲＬＣが受け取られる場合には、処理は４１４２に進む。
４１６０（図２３Ｑ）において他の内部メッセージが受け取られるか、または４１６１において他の外部メッセージが受け取られる場合、４１６２において出力導通手続きが完了であるかどうかが決定される。そうではない場合、４１６３において出力導通手続きがストップし、処理は４１６４に進む。４１６２において出力導通手続きが完了である場合、処理は４１６４に進む。４１６４においてＡＣＭタイマがストップし、４１６５において通話リトライ用のメッセージが発信処理に送られる。４１６６（図２３Ｒ）において開放時点が課金に送られる。４１６７において、メッセージがｍｕｘ開放処理を呼び出し、４１６８において空きに至る。４１７０において内部ＩＡＭが受け取られるか、４１７１において外部ＩＡＭが受け取られる場合、４１７２において出力導通手続きが完了であるかどうかが決定される。そうではない場合、４１７３において出力導通手続きがストップする。４１６９において通話リトライが試みられ、４１８５において空きに至る。４１７４においてブロッキング要求が受け取られるか、または４１７５において入力処理から開放要求が受け取られる場合、４１７６において通話リトライ要求が送られる。４１７６の後、４１７７において出力導通手続きが完了であるかどうかが決定される。そうではない場合、４１７８において出力導通手続きがストップし、処理は４１７９に進む。４１７７において出力導通手続きが完了である場合、処理は４１７９に進む。４１７９においてＡＣＭタイマがストップし、４１８０において原因２１を有するメッセージが処理テーブルに送られる。４１８１において回線に過渡の印をつけ、４１８２において開放時点が課金に送られる。４１８３において、ＲＬＣタイマがセットされ、４１８４において、ｓｅｔＲＥＬタイマがセットされる。処理は４５７０に進む。
４１８６（図２３Ｓ）において外部ＲＥＬが次にネットワーク要素から受け取られるか、または４１８７において内部ＲＥＬが受け取られる場合、４１８８において出力導通手続きが完了であるかどうかが決定される。そうではない場合、４１８９において出力導通手続きがストップし、処理は４１９０に進む。４１８８において出力導通手続きが完了である場合、処理は４１９０に進む。４１９０においてＡＣＭタイマがストップし、４１９１において原因を有するメッセージがＲＥＬから処理テーブルに送られる。４１９２および４１９３（図２３Ｔ）においてその通話がＣＣＭ内であるかどうかが決定される。４１９３においてその通話がＣＣＭ内である場合には、４１９４において内部ＲＬＣが送られる。４１９３においてその通話がＣＣＭ内でない場合には、４１９５において外部ＲＬＣが送られる。４１９４または４１９５の後、４１９６において開放時点が課金に送られる。４１９８において、メッセージがｍｕｘ／エコー開放処理を呼び出し、４２００において空きに至る。４２０２においてブロッキングリセットが受け取られる場合、４２０３において出力導通手続きが完了であるかどうかが決定される。そうではない場合、４２０４において出力導通手続きがストップし、処理は４２０５に進む。４２０３において出力導通手続きが完了である場合、処理は４２０５に進む。４２０５においてＡＣＭタイマがストップし、４２０６において通話リトライ用のメッセージが発信処理に送られる。４２０７において開放時点が課金に送られる。４２０８において、メッセージがｍｕｘ／エコー開放処理を呼び出し、４２０９において空きに至る。４２１０において情報メッセージが受け取られる場合には、４２１１および４２１２においてその通話がＣＣＭ内であるかどうかが決定される。４２１４においてその通話がＣＣＭ内である場合には、４２１３において内部ＩＮＦが送られる。４２１２においてその通話がＣＣＭ内でない場合には、４２１４において外部ＩＮＦが送られる。４２１３または４２１４の後、処理は４１００に戻る。
着信処理−−通話完了
上記の様々なポイントにおいて、通話の出力側を取り扱う着信処理は、通話完了前に通話上の何らかのメッセージまたは作用を待ってもよい。例として、ＡＣＭ、ＡＮＭ、またはＲＬＣを待つことがある。図２４Ａ−２４Ｍは、ＢＣＭの着信処理によるこの通話完了処理を示す。
図２４Ａで４２２０において、着信処理はＡＣＭを待つ。４２２２において外部ＡＣＭが受け取られるか、または４２２３において内部ＡＣＭが受け取られる場合、４２２４においてＡＣＭタイマがストップし、４２２６において回線に話中の印をつける。４２２８において接続時点が課金に送られ、４２３０においてＡＣＭが発信処理に送られる。次に処理は４３１０に進む。４２３２において外部ＡＮＭが受け取られるか、または４２３３において内部ＡＮＭが受け取られる場合、４２３４においてＡＣＭタイマがストップし、４２３６において回線に話中の印をつける。４２３８において、応答時点が課金に送られ、４２４０においてＡＮＭが発信処理に送られる。次に処理は４４００に進む。
４２４２（図２４Ｂ）においてブロッキング要求が受け取られるか、４２４４において外部ＲＬＣが受け取られるか、または４２４５において内部ＲＬＣが受け取られる場合、４２４６において通話リトライ要求が発信処理に送られる。４２４８において、ＡＣＭタイマがストップし、４２５０においてインデックス４１を有するメッセージが処理テーブルに送られる。４２５２において、回線に過渡の印をつけ、４２５４において開放時点が課金に送られる。４２５６においてＲＬＣタイマがスタートし、４２５８においてｓｅｎｄＲＥＬタイマがスタートする。処理は４５７０に進む。４２６０において開放要求が発信処理から受け取られる場合、処理は４２４８に進む。４２６２においてＡＣＭタイマが停止する場合には、４２６３において通話失敗メッセージが発信処理に送られ、処理は４２５０に進む。
４２６４（図２４Ｃ）において外部ＲＥＬが受け取られるか、または４２６５において内部ＲＥＬが受け取られる場合には、４２６６においてＡＣＭタイマがストップし、４２６７において原因を有するメッセージがＲＥＬから処理テーブルに送られる。４２６８および４２６９においてその通話がＣＣＭ内であるかどうかが決定される。４２６９においてその通話がＣＣＭ内である場合には、４２７０において内部ＲＬＣが送られる。４２６９においてその通話がＣＣＭ内でない場合には、４２７１（図２４Ｄ）において外部ＲＬＣが送られる。４２７０または４２７１の後、４２７２において開放時点が課金に送られる。４２７４において、メッセージが送られて回線リセット処理を呼び出し、４２７６において空きに至る。４２７８においてブロッキングからのリセットが受け取られる場合、４２８０においてＡＣＭタイマがストップし、４２８２において通話リトライが発信処理に送られる。２４８４において開放時点が課金に送られ、処理は４２７４に進む。４２８６において外部ＣＰＭが受け取られるか、または４２８７において内部ＣＰＭが受け取られる場合、４２８８において情報が発信処理に送られ、処理は４２２０に戻る。４２９０において外部ＩＡＭが受け取られるか、または４２９１において内部ＩＡＭが受け取られる場合、４２９２において起動メッセージが発信処理に送られ、４２９４において空きに至る。４２９５においてＩＮＦメッセージが受け取られる場合、４２９６および４２９７においてその通話がＣＣＭ内であるかどうかが決定される。４２９７においてその通話がＣＣＭ内である場合には、４２９８において内部ＩＮＦが送られる。４２９７においてその通話がＣＣＭ内でない場合には、４２９９において外部ＩＮＦが送られる。４２９８または４２９９の後、処理は４２２０に戻る。４３００において他の外部メッセージが受け取られたり、または４３０１において内部ＡＣＭが受け取られる場合には、４３０２においてＡＣＭタイマがストップし、４３０４において通話リトライが発信処理に送られる。４３０６において開放時点が課金に送られ、処理は４２７４に進む。
４３１０（図２３Ｅ）において、着信処理はＡＮＭを待つ。４３１２においてブロッキング要求が受け取られる場合、４３１４においてそれは無視され、処理は４３１０に戻る。４３１８において開放要求が発信処理から受け取られる場合、４３２０においてインデックスを有するメッセージが開放から処理テーブルに送られる。４３２２において、回線に過渡の印をつけ、４３２４において開放時点が課金に送られる。４３２６においてＲＬＣタイマがスタートし、４３２８においてｓｅｎｄＲＥＬタイマがスタートする。処理は４５７０に進む。４３３０において外部ＡＮＭが受け取られるか、または４３３１において内部ＡＮＭが受け取られる場合、４３３２において応答時点が課金に送られ、４３３４においてＡＮＭが発信処理に送られる。処理は４４００に進む。４３３６において外部ＥＸＭが受け取られるか、または４３３７において内部ＥＸＭが受け取られる場合、４３３８においてＥＸＭ情報が課金に送られ、処理は４３１０に戻る。４３４０（図２４Ｆ）において外部ＣＰＭが受け取られるか、または４３４１において内部ＣＰＭが受け取られる場合、４３４２において情報が発信処理に送られ、処理は４３１０に戻る。４３４４においてブロッキングからのリセットが受け取られる場合には、４３４６において開放要求が発信処理に送られ、４３４８において開放時点が課金に送られる。４３５０においてメッセージが回線リセット処理に送られ、４３５２において開放メッセージがｍｕｘ／エコー処理に送られる。４３５４において空きに至る。
４３５６（図２４Ｇ）において外部ＲＥＬが受け取られるか、または４３５７において内部ＲＥＬが受け取られる場合、４３５８においてインデックスを有するメッセージが処理テーブルに送られ、４３５９において開放時点が課金に送られる。４３６０および４３６１においてその通話がＣＣＭ内であるかどうかが決定される。４３６１においてその通話がＣＣＭ内である場合には、４３６２において内部ＲＥＬが送られる。４３６１においてその通話がＣＣＭ内でない場合には、４３６３において外部ＩＮＦが送られる。４３６２または４３６３の後、４３６４においてメッセージがｍｕｘ／エコー開放処理に送られる。４３６８において空きに至る。４３７６において外部ＲＬＣが受け取られる場合には、４３７８において発信処理に通話失敗メッセージが送られる。４３８０において、インデックス４１を有するメッセージが処理テーブルに送られる。４３８２において、回線に過渡の印をつけ、４３８４において開放時点が課金に送られる。４３８６において、ＲＬＣタイマがスタートし４３８８においてｓｅｎｄＲＥＬタイマがスタートする。処理は４５７０に進む。４３９２において開放が回線照会処理から受け取られるか、または４３９３において内部ＲＬＣが受け取られる場合、処理は４３８０に進む。４３９４において他の外部メッセージが受け取られるか、または４３９５において他の内部メッセージが受け取られる場合、４３９６においてそれらは無視され、処理は４３１０に戻る。
４４００（図２４Ｈ）において、通話は応答されており、アクティブである。４４０２（図２４Ｉ）においてブロッキング要求が受け取られる場合、４４０４においてそれは無視され、処理は４４００に戻る。４４０８において外部ＲＬＣが受け取られるか、または４４０９において内部ＲＬＣが受け取られる場合、４４１０において通話失敗メッセージが発信処理に送られる。４４１２において、インデックス４１を有するメッセージが処理テーブルに送られる。４４１４において、回線に過渡の印をつけ、４４１６において開放時点が課金に送られる。４４１８において、ＲＬＣタイマがスタートし、４４２０においてｓｅｎｄＲＥＬタイマがスタートする。処理は４５７０に進む。４４２４において開放要求が回線照会処理から受け取られる場合、処理は４４１２に進む。４４２６において開放要求が発信処理から受け取られる場合には、４４２８においてインデックスを有するメッセージが開放から処理テーブルに送られる。４４３０において、回線に過渡の印をつけ、４４３１において開放時点が課金に送られる。４４３２においてＲＬＣタイマがスタートし、４４３４においてｓｅｎｄＲＥＬタイマがスタートする。処理は４５７０に進む。４４４０において外部ＣＰＭが受け取られるか、または４４４１において内部ＣＰＭが受け取られる場合、４４４２において情報が発信処理に送られ、処理は４４００に戻る。４４４４において外部ＲＥＬが受け取られるか、または４４４５において内部ＲＥＬが受け取られる場合、４４４６においてインデックスを有するメッセージがＲＥＬから処理テーブルへ送られ、４４４７において開放時点が課金に送られる。４４４８および４４４９においてその通話がＣＣＭ内であるかどうかが決定される。４４４９においてその通話がＣＣＭ内である場合には、４４５０において内部ＲＬＣが送られる。４４４９においてその通話がＣＣＭ内でない場合には、４４５１において外部ＲＬＣが送られる。４４５０または４４５１の後、４４５２においてメッセージがｍｕｘ／エコー開放処理に送られる。４４５４において空きに至る。４４５６においてブロッキングからのリセットが受け取られる場合、４４５７において開放要求が発信処理に送られ、４４５８において開放時点が課金に送られる。４４５９においてメッセージが回線リセット処理に送られ、４４６０において開放メッセージがｍｕｘ／エコー処理が送られ、４４６２において空きに至る。４４６４において外部ＳＵＳメッセージが受け取られるか、または４４６５において内部ＳＵＳが受け取られる場合には、４４６６においてＳＵＳタイマがセットされ、４４６８においてＳＵＳが発信処理に送られる。処理は４４８０に進む。４４７２において他の外部メッセージが受け取られるか、または４４７３において他の内部メッセージが受け取られる場合には、４４７４においてそれらは無視され、処理は４４００に戻る。
４４８０（図２４Ｊ）において、出力回線は保留されている。４４８８において外部ＲＬＣが受け取られるか、または４４８９において内部ＲＬＣが受け取られる場合、４４９０において通話失敗メッセージが発信処理に送られる。４４９４においてインデックス４１を有するメッセージが処理テーブルに送られる。４４９６において、回線に過渡の印をつけ、４４９８において開放時点が課金に送られる。４５００において、ＲＬＣタイマがスタートし、４５０２においてｓｅｎｄＲＥＬタイマがスタートする。処理は４５７０に進む。４５０４において開放要求が回線照会処理から受け取られる場合、処理は４４９４に進む。４５０６において開放要求が発信処理から受け取られる場合、４５０８においてインデックスを有するメッセージが開放から処理テーブルに送られる。４５１２において、回線に過渡の印をつけ、４５１４において開放時点が課金に送られる。４５１６においてＲＬＣタイマがスタートし、４５１８においてｓｅｎｄＲＥＬタイマがスタートする。処理は４５７０に進む。４５２４において保留タイマが停止する場合には、４５２６において開放要求が発信処理に送られ、４５２８においてインデックス１００を有するメッセージが処理テーブルに送られる。４５３０において、回線に過渡の印をつける。４５３２においてＲＬＣタイマがスタートし、４５３４においてｓｅｎｄＲＥＬタイマがスタートする。処理は４５７０に進む。
４５８２（図２４Ｋ）においてブロッキング要求が受け取られる場合、４４８４においてそれは無視され、処理は４４００に戻る。４５６２において他の外部メッセージが受け取られるか、または４５６３において他の内部メッセージが受け取られる場合、４５６６においてそれらは無視され、処理は４４００に戻る。４５３６において外部ＲＥＬが受け取られるか、または４５３７において内部ＲＥＬが受け取られる場合、４５３８においてインデックスを有するメッセージがＲＥＬから処理テーブルに送られ、４５３９において開放時点が課金に送られる。４５４０および４５４１においてその通話がＣＣＭ内であるかどうかが決定される。４５４１においてその通話がＣＣＭ内である場合には、４５４２において内部ＲＬＣが送られる。４５４１においてその通話がＣＣＭ内でない場合には、４５４３において外部ＲＬＣが送られる。４５４２または４５４３の後、４５４４においてメッセージがｍｕｘ／エコー開放処理に送られる。４５４６において空きに至る。４５４８においてブロッキングからのリセットが受け取られる場合、４５４９において開放要求が発信処理に送られ、４５５０において開放時点が課金に送られる。４５５１においてメッセージが回線リセット処理に送られる。４５５２において、開放メッセージがｍｕｘ／エコー処理に送られ、４５５４において空きに至る。４５５６において外部ＲＥＳメッセージが受け取られるか、または４５５７において内部ＲＥＳが受け取られる場合には、４５５８においてＳＵＳタイマがストップし、４５６０においてＲＥＳが発信処理に送られる。処理は４４００に戻る。
４５７０（図２４Ｌ）において、着信処理はＲＬＣを待つ。４５７２において外部ＲＬＣが受け取られるか、または４５７３において内部ＲＬＣが受け取られる場合、４５７４において空き時点が課金に送られる。４５７８において、ｓｅｎｄＲＥＬタイマがストップする。４５８２において空きに至る。４５８４においてＲＬＣタイマが停止する場合、４５８６においてｓｅｎｄＲＥＬタイマがストップし、４５８８において回線リセット処理が呼び出される。４５９０においてメンテナンスに通知され、４５９２において空きに至る。４５９４においてブロッキングからのリセットが受け取られる場合、４５９５において開放要求が発信処理に送られ、４６００において開放時点が課金に送られる。４６０１においてメッセージが回線リセット処理に送られる。４６０２において、開放メッセージがｍｕｘ／エコー処理に送られ、４６０４において空きに至る。４６０６（図２４Ｍ）においてｓｅｎｄＲＥＬタイマが停止する場合、４６０８においてインデックス４１を有するメッセージが処理テーブルに送られる。４６１０においてｓｅｎｄＲＥＬタイマがスタートし、処理は４５７０に戻る。４６１１において内部ＲＥＬが受け取られるか、または４６０９において内部ＲＥＬが受け取られる場合、４６１２および４６１３においてその通話がＣＣＭ内であるかどうかが決定される。４６１３においてその通話がＣＣＭ内である場合には、４６１４において内部ＲＬＣが送られる。４６１３においてその通話がＣＣＭ内でない場合には、４６１５において外部ＲＬＣが送られる。４６１４または４６１５の後、処理は４５７０に戻る。４６１６において他の外部メッセージが受け取られるか、または４６１７において他の内部メッセージが受け取られる場合には、４６１８においてそれらは無視され、処理は４５７０に戻る。
その他の処理
上記の説明において、ＢＣＭは以下の処理を呼び出した。すなわち、グレア操作、エコー制御、入力回線導通チェック、自動輻輳制御、回線リセット送信、出力中継選択、出力回線導通チェック、およびｍｕｘ／エコー開放である。図２５−３２は、これらその他の処理を示す。
図２５Ａ−２５Ｂは、グレア取り扱い処理を示す。４６２０において、グレア操作処理は空きである。４６２２（図２５Ａ）において、ＢＣＭからの照会が受け取られる。４６２４および４６２６においてチェックが行われてＡＣＭまたはＡＮＭのどちらかが受け取られているかどうかを調べる。そうである場合には、４６２８においてその通話についての制御が出力され、４６３０において空きに至る。４６２６においてこれらのメッセージが受け取られていない場合には、４６３２および４６３４において中継回線テーブル内でグレア解決がチェックされる。制御が「すべて」にセットされている場合には、４６３６においてその通話についての制御が出力され、４６３８において空きに至る。４６３４において制御が「なし」にセットされている場合には、４６４０において用いる異なる回線が決定される。４６４２においてその新しい回線についての制御が出力され、４６４４において空きに至る。４６３４において制御が偶数／奇数にセットされる場合には、ＩＡＭの発信ポイントコード（ＯＰＣ）が４６４６においてチェックされ、４６４８（図２５Ｂ）においてＣＣＭのポイントコードと比較される。ＩＡＭのＯＰＣがＣＣＭのポイントコードよりも高い場合には、４６４８および４６５０においてＩＡＭ内のＣＩＣがチェックされて偶数か奇数かが調べられる。奇数である場合には、４６５４においてその通話についての制御が出力され、４６５６において空きに至る。ＣＩＣが偶数の場合には、４６５８において用いる異なる回線が決定される。４６６０においてその新しい回線についての制御が出力され、４６６２において空きに至る。４６４８においてＩＡＭのＯＰＣがＣＣＭのポイントコードよりも高くはない場合には、４６６４および４６６６においてＩＡＭ内のＣＩＣがチェックされて偶数か奇数かが調べられる。偶数の場合には、４６６８においてその通話についての制御が出力され、４６７０において空きに至る。ＣＩＣが奇数の場合には、４６７２において用いる異なる回線が決定される。４６７４においてその新しい回線についての制御が出力され、４６７６において空きに至る。
図２６Ａ−２６Ｂは、エコー制御処理を示す。４６８０（図２６Ａ）において、エコー制御処理は空きであり、４６８２においてＢＣＭからのメッセージが受け取られる。４６８４においてエコー制御情報がＩＡＭ内に受け取られるか、または４６８６においてＣＲＭが受け取られる場合には、４６８８および４６９０において回線タイプがチェックされる。回線がＬＥＣ（ＴＤＭ）からの場合には、４６９２および４６９４において情報転送能力がチェックされる。３．１ＫＨｚ通話でない場合には、４６９６（図２６Ｂ）においてエコー制御アドレスが中継回線テーブルからアクセスされる。４６９８において関連するエコーキャンセラがディセーブルされ、４７００において空きに至る。４６９４において通話が３．１ＫＨｚ通話である場合には、４７０２および４７０４において順方向通話インジケータにおけるエコー制御フィールドがチェックされる。エコー装置が含まれていない場合には、４７０６においてエコー制御のディセーブルが要求されず、４７０８において空きに至る。エコー装置が含まれている場合には、４７１０においてエコー制御アドレスが中継回線テーブルからアクセスされる。４７１２において関連するエコーキャンセラがディセーブルされ、４７１４において空きに至る。４６９０において回線が他のＣＣＭ（ＡＴＭ）からである場合には、４７１６および４７１８において情報転送能力がチェックされる。３．１ＫＨｚ通話でない場合には、４７２０においてエコー制御アドレスが中継回線テーブルからアクセスされる。４７７２において関連するエコーキャンセラがディセーブルされ、４７２４において空きに至る。４７１８において通話が３．１ＫＨｚ通話である場合には、４７２６においてエコー制御のディセーブルが要求されず、４７２８において空きに至る。４７３０においてエコー制御情報がＡＣＭ内に受け取られるか、４７３２においてＣＰＭが受け取られるか、または４７３４においてＡＮＭが受け取られる場合には、４７３６および４７３８において回線タイプがチェックされる。回線が他のＣＣＭ（ＡＴＭ）からの場合には、４７４０においてエコー制御のディセーブルが要求されず、４７４２において空きに至る。回線がＬＥＣ（ＴＤＭ）からの場合には、４７４４および４７４６において逆方向通話インジケータにおけるエコー制御フィールドがチェックされる。エコー装置が含まれていない場合には、４７４８および４７５０においてＣＣＢがチェックされてエコーキャンセレーションがイネーブルされるかどうかを調べる。イネーブルされない場合には、４７５２においてエコー制御のディセーブルが要求されず、４７５４において空きに至る。４７５０においてエコーキャンセレーションがイネーブルされる場合には、４７５６においてエコー制御アドレスが中継回線テーブルからアクセスされる。４７５８において関連するエコーキャンセラがディセーブルされ、４７６０において空きに至る。４７５６においてエコー装置が含まれていない場合には、４７６２においてエコー制御のディセーブルが要求されず、４７６４において空きに至る。
図２７Ａ−２７Ｄは、入力導通チェック処理を示す。図２７Ａで４７７０において、入力通話についての導通チェック処理は空きであり、４７７２において処理を呼び出すメッセージが受け取られる。４７７４において、ＣＣＢがチェックされて導通チェック要のＤＳ０を決定する。４７７６において、ｍｕｘがＤＳ０をループバックに接続するよう命令される。４７７８においてＣＯＴタイマがセットされ、４７８０および４７８２において処理はｍｕｘからの応答を待つ。４７８４においてＣＯＴタイマが終わると、４７８６においてｍｕｘメッセージが再送され、４７８８（図２７Ｂ）においてタイマが再スタートする。４７９０および４７９２において処理はｍｕｘからの応答を待つ。４７９４においてＣＯＴタイマが終わると、４７９６においてメンテナンスに通知され、４７９８においてインデックス４１を有するメッセージが処理テーブルに送られ、４８００において空きに至る。４７８２または４７９２において応答が受け取られる場合には、４８０２においてメッセージはループバックが供給されているということを示す。４８０４においてＣＯＴタイマがストップする。４８０６および４８０８において、ＣＣＢのエコー制御要求事項がチェックされる。エコー制御が必要な場合、４８１０においてエコー制御アドレスが中継回線テーブルからアクセスされる。４８１２において関連するエコーキャンセラがディセーブルされる。
４８１８（図２７Ｃ）において、導通チェックをストップするメッセージが受け取られる。４８２０において、ｍｕｘがループバックを切断するように命令され、４８２２においてＣＯＴタイマがスタートし、４８２４および４８２６において処理はｍｕｘの応答を待つ。４８２８においてＣＯＴタイマが終わると、４８３０においてｍｕｘメッセージが再送され、４８３２（図２７Ｄ）においてタイマが再スタートする。４８３４および４８３６において処理はｍｕｘからの返答を待つ。４８３８においてＣＯＴタイマが終わると、４８４０においてメンテナンスに通知され、４８２４においてインデックス４１を有するメッセージが処理テーブルに送られ、４８４４において空きに至る。４８２６または４８３６において応答が受け取られる場合には、４８４６においてメッセージはループバックが切断されているということを示す。４８４８においてＣＯＴタイマがストップする。４８５０において関連するエコーキャンセラがイネーブルされる。４８５２において空きに至る。４８５４において、導通チェックをストップするメッセージが受け取られる。４８５６において、ｍｕｘがループバックを切断するように命令され、４８５８においてＣＯＴタイマがスタートし、４８６０および４８６２において処理はｍｕｘの応答を待つ。４８６４においてＣＯＴタイマが終わると、４８６６においてｍｕｘメッセージが再送され、４８６８においてタイマが再スタートする。４８７０および４８７２において処理はｍｕｘからの返答を待つ。４８７４においてＣＯＴタイマが終わると、４８７６においてメンテナンスに通知され、４８７８においてインデックス４１を有するメッセージが処理テーブルに送られ、４８８０において空きに至る。４８６２または４８７２において応答が受け取られると、４８８２においてメッセージはループバックが切断されているということを示す。４８８４においてＣＯＴタイマがストップする。４８８６において空きに至る。
図２８Ａ−２８Ｂは、自動輻輳制御処理を示す。４８９０（図２８Ａ）において自動輻輳制御処理は空きであり、４８９２においてメッセージが受け取られる。４８９４において、ＣＣＭ負荷がチェックされる。４８９６において、ＣＣＭ  ＩＤテーブルがチェックされて、ＣＣＭ輻輳レベルが取得される。４８９８において、ＣＣＭ負荷が輻輳レベル（ＡＣＬ）３を超えているかどうかが決定される。そうである場合には、４９００においてメンテナンスに通知され、４９０２において原因４２を有するＲＥＬが送出される。そうでない場合には、４９０４においてＣＣＭ負荷が輻輳レベル２を超えているかどうかが決定される。そうである場合には、４９０６においてメンテナンスに通知され、４９０８において原因４２を有するＲＥＬが送出される。そうでない場合には、４９１０においてＣＣＭ負荷が輻輳レベル１を超えているかどうかが決定される。そうである場合には、４９１２においてメンテナンスに通知され、４９１４において原因４２を有するＲＥＬが送出される。４９１６（図２８Ｂ）においてＣＯＴがチェックされる。１が存在する場合には、４９１８において入力導通処理がストップし、４９２０においてＣＯＴタイマがストップする。４９１６において２が存在する場合には、４９２０においてＣＯＴタイマがストップする。４９２０の後、または４９１６において０が存在する場合、４９２２において回線に過渡の印をつける。４９２４においてＲＬＣタイマがスタートし、４９２６においてｓｅｎｄＲＥＬタイマがスタートする。３７２４において自動輻輳制御処理はＲＬＣを待つ。４９１０においてＣＣＭ使用が輻輳レベル１を超えていない場合には、処理は２３０２に進む。
図２９Ａ−２９Ｃは、回線リセット送信処理を示す。図２９Ａで４９４０において、回線リセット送信処理は空きである。ＢＣＭからメッセージが受け取られると、処理は４９４８に進む。４９２４において、回線ステータスの損失を示すメッセージがｍｕｘから受け取られ、４９４４において、その通話についての処理が停止する。４９４６において、ｍｕｘが回線をクリアしてリセットするように命令される。４９４８において回線に過渡の印をつける。４９４９および４９５０においてその通話がＣＣＭ内であるかどうかが決定される。４９５０においてその通話がＣＣＭ内である場合には、４９５１において内部ＲＳＣが送られる。４９５０においてその通話がＣＣＭ内でない場合には、４５５２において外部ＲＳＣが送られる。４９５１または４９５２の後、４９５３においてＴ１６タイマがスタートし、４９５６においてＴ１７タイマがスタートする。４９５８において処理はＲＬＣを待つ。４９６０において内部ＲＳＣが受け取られるか、または４９６１において外部ＲＳＣが受け取られる場合、４９６２および４９６３（図２９Ｂ）においてその通話がＣＣＭ内であるかどうかが決定される。４９６３においてその通話がＣＣＭ内である場合には、４９６４において内部ＲＳＣが送られる。４９６３においてその通話がＣＣＭ内でない場合には、４９６５において外部ＲＳＣが送られる。４９６４または４９６５の後、４９６６においてタイマＴ１６およびＴ１７がストップする。４９６７において、アラートインジケータがオンかオフかが決定される。オンの場合、４９６８においてメンテナンスに通知される。４９６８の後、または４９６７においてアラートインジケータがオフの場合、４９６９において回線に空きの印をつけ、４９７０において空きに至る。４９７１において内部ＲＬＣが受け取られるか、または４９７２において外部ＲＬＣが受け取られる場合、処理は４９６６に進む。４９７３において内部ＲＥＬが受け取られるか、または４９７４において外部ＲＥＬが受け取られる場合、４９７５および４９７６においてその通話がＣＣＭ内であるかどうかが決定される。４９７６においてその通話がＣＣＭ内である場合には、４９７７において内部ＲＬＣが送られる。４９７６においてその通話がＣＣＭ内でない場合には、４９７８において外部ＲＬＣが送られる。４９７７または４９７８の後、処理は４９５８に進む。
４９７９（図２９Ｃ）においてＴ１６タイマが終わると、４９８０および４９８１においてその通話がＣＣＭ内であるかどうかが決定される。４９８１においてその通話がＣＣＭ内である場合には、４９８２において内部ＲＳＣが送られる。４９８１においてその通話がＣＣＭ内でない場合には、４９８３において外部ＲＳＣが送られる。４９８２または４９８３の後、４９８４においてＴ１６タイマがスタートする。次に処理は４９５８に戻る。４９８５においてＴ１７タイマが終わると、４９８６においてタイマ１６がストップする。４９８７において、アラートインジケータがオンかオフかが決定される。オンの場合、４９８８においてアラートインジケータがセットされ、４９８９においてメンテナンスに通知される。４９８９の後、または４９８７においてアラートインジケータがオフの場合、４９９０および４９９１においてその通話がＣＣＭ内であるかどうかが決定される。４９９１においてその通話がＣＣＭ内である場合には、４９９２において内部ＲＳＣが送られる。４９９１においてその通話がＣＣＭ内でない場合には、４９９３において外部ＲＳＣが送られる。４９９２または４９９３の後、４９９４においてＴ１７タイマがスタートする。次に処理は４９５８に戻る。
図３０Ａ−３０Ｌは、中継選択処理を示す。図３０Ａ−３０Ｂで５０１０において、最も長い時間空きであった中継を選択する「最大の空き」の中継選択処理は空きである。５０１２において、回線選択を要求するメッセージが受け取られる。５０１４において、中継グループ内の回線についてステータスおよび時間フィールドがチェックされる。５０１６において利用可能な回線がない場合、５０１８においてメンテナンスに通知され、５０２０において通話カウンタがインクリメントされる。５０２２において、次のルーティング選択が用いられて処理は３２６０に進む。５０１６において中継回線が利用可能な場合、５０２４においてグループ内の空き回線について時間がチェックされる。５０２６においてすべての回線が０：００にセットされている場合、５０２８においてグループ内の最初の中継が選択され、５０３０において選択された回線が着信処理に提供される。５０３２において空きに至る。５０２６においてすべての回線が０：００でない場合には、５０３４において時間ステータスがチェックされる。５０３６において前の日から何らかの回線が利用可能な場合には、５０３８において前の日の最も早い時間の回線が選択される。５０４０において選択された回線が着信処理に提供され、５０４２において空きに至る。５０３６において前の日から利用可能な回線がない場合には、５０４４においてその日の最も早い時間の回線が選択され、処理は５０４０に進む。
５０５０（図３０Ｃ−３０Ｄ）において、最も短い時間空きであった中継を選択する「最少の空き」の中継選択処理は空きである。５０５２において、回線選択を要求するメッセージが受け取られる。５０５４において、中継グループ内の回線についてステータスおよび時間フィールドがチェックされる。５０５６において利用可能な回線がない場合、５０５８においてメンテナンスに通知され、５０６０において通話カウンタがインクリメントされる。５０６２において、次のルーティング選択が用いられて処理は３２６０に進む。５０５６において中継回線が利用可能な場合、５０６４においてグループ内の空き回線について時間がチェックされる。５０６６においてすべての回線が０：００にセットされている場合、５０６８においてグループ内の最後の中継が選択され、５０７０において選択された回線が着信処理に提供される。５０７２において空きに至る。５０６６においてすべての回線が０：００でない場合には、５０７４において時間ステータスがチェックされる。５０７６においてその日から何らかの回線が利用可能な場合には、５０７８においてその日の最も遅い時間の回線が選択される。５０８０において選択された回線が着信処理に提供され、５０８２において空きに至る。５０７６においてその日から利用可能な回線がない場合には、５０８４において前の日の最も遅い時間の回線が選択され、処理は５０８０に進む。
５１００（図３０Ｅ−３０Ｆ）において、最も小さい番号のついた空き中継を選択する「降順」中継選択処理は空きである。５１０２において、回路選択を要求するメッセージが受け取られる。５１０４において、中継グループ内の空き回線についてステータスフィールドがチェックされる。５１０６において利用可能な回線がない場合、５１０８においてメンテナンスに通知され、５１１０において通話カウンタがインクリメントされる。５１１２において、次のルーティング選択が用いられて処理は３２６０に進む。５１０６において中継回線が利用可能な場合、５１１４および５１１６においてこれがその中継グループの最初の要求であるかどうかが決定される。５１１６においてそれが最初の要求である場合、５１１８においてグループ内の最後の中継が選択され、５１２０において選択された回線が着信処理に提供される。５１２２において空きに至る。５１１６においてこれが最初の要求でない場合には、５１２４においてグループ内の最後の中継が選択される。５１２６において選択された中継が話中でない場合には、処理は５１１８に進む。５１２６において選択された回線が話中である場合には、５１２８において最後の中継より前にある次に利用可能な中継が選択され、処理は５１２０に進む。
５１３０（図３０Ｇ−３０Ｈ）において、最大の番号のついた空き中継を選択する「昇順」中継選択処理は空きである。５１３２において、回路選択を要求するメッセージが受け取られる。５１３４において、中継グループ内の空き回線についてステータスフィールドがチェックされる。５１３６において利用可能な回線がない場合、５１３８においてメンテナンスに通知され、５１４０において通話カウンタがインクリメントされる。５１４２において、次のルーティング選択が用いられて処理は３２６０に進む。５１３６において中継回線が利用可能な場合、５１４４および５１４６においてこれがその中継グループの最初の要求であるかどうかが決定される。５１４６においてそれが最初の要求である場合、５１４８においてグループ内の最初の中継が選択され、５１５０において選択された回線が着信処理に提供される。５１５２において空きに至る。５１４６においてこれが最初の要求でない場合には、５１５４においてグループ内の最初の中継が選択される。５１５６において選択された中継が話中でない場合には、処理は５１４８に進む。５１５６において選択された回線が話中である場合には、５１５８において最初の中継より後にある次に利用可能な中継が選択され、処理は５１５０に進む。
５１６０（図３０Ｉ−３０Ｊ）において、中継を大きいものから小さいものへ順次選択する「反時計回り」中継選択処理は空きである。５１６２において、回路選択を要求するメッセージが受け取られる。５１６４において、中継グループ内の空き回線についてステータスフィールドがチェックされる。５１６６において利用可能な回線がない場合、５１６８においてメンテナンスに通知され、５１７０において通話カウンタがインクリメントされる。５１７２において、次のルーティング選択が用いられて処理は３２６０に進む。５１６６において中継回線が利用可能な場合、５１７４および５１７６においてこれがその中継グループの最初の要求であるかどうかが決定される。５１７６においてそれが最初の要求である場合、５１７８においてグループ内の最後の中継が選択され、５１８０において選択された回線が着信処理に提供される。５１８２において空きに至る。５１４６においてこれが最初の要求でない場合には、５１８４においてグループから選択された最も最近の中継が決定される。５１８６において降順で次に利用可能な中継が選択される。５１８８において選択された回線が着信処理に提供される。５１９０において空きに至る。
５２００（図３０Ｋ−３０Ｌ）において、中継を小さいものから大きいものへ順次選択する「時計回り」中継選択処理は空きである。５２０２において、回路選択を要求するメッセージが受け取られる。５２０４において、中継グループ内の空き回線についてステータスフィールドがチェックされる。５２０６において利用可能な回線がない場合、５２０８においてメンテナンスに通知され、５２１０において通話カウンタがインクリメントされる。５２１２において、次のルーティング選択が用いられて処理は３２６０に進む。５２０６において中継回線が利用可能な場合、５２１４および５２１６においてこれがその中継グループの最初の要求であるかどうかが決定される。５２１６においてそれが最初の要求である場合、５２１８においてグループ内の最初の中継が選択され、５２２０において選択された回線が着信処理に提供される。５２２２において空きに至る。５２１６においてこれが最初の要求でない場合には、５２２４においてグループから選択された最も最近の中継が選択される。５２２６において昇順で次に利用可能な中継が選択される。５２２８において選択された回線が着信処理に提供される。５２３０において空きに至る。
図３１Ａ−３１Ｄは、出力導通チェック処理を示す。図３１Ａで、５２４０において出力導通チェック処理は空きである。５２４２において、出力導通チェックメッセージが受け取られる。５２４４において、ＣＣＢを調べて通話上のＤＳ０を決定する。５２４６において、ｍｕｘが、導通試験をセットアップして関連するエコーキャンセラをディセーブルするように命令される。５２４８において、ｍｕｘタイマがスタートして、５２５０において応答が待たれる。５２５２においてｍｕｘタイマが終わると、５２５４においてメンテナンスに通知され、５２５６においてｍｕｘメッセージが再送される。５２５８において、ｍｕｘタイマが再スタートし、５２６０において応答が待たれる。５２６２においてｍｕｘタイマが終わると、５２６４においてメンテナンスに通知され、５２６６においてインデックス４１を有するメッセージが処理テーブルに送られ、５２６８において空きに至る。５２７０においてメッセージがｍｕｘから受け取られると、５２７２においてメッセージのタイプが決定される。拒絶のメッセージである場合には、５２７４においてメンテナンスに通知され、５２７６においてインデックス４１を有するメッセージが処理テーブルに送られ、５２７８において空きに至る。５２７２においてメッセージが受け入れのメッセージである場合には、５２８０において導通トーンが印加され、５２８２においてＣＯＴタイマがスタートし、処理は５３００に進む。５２８６においてｍｕｘからメッセージが受け取られる場合には、５２８８においてメッセージのタイプが決定される。拒絶のメッセージである場合には、５２９０においてメンテナンスに通知され、５２９２においてインデックス４１を有するメッセージが処理テーブルに送られ、５２９４において空きに至る。５２８８においてメッセージが受け入れのメッセージである場合には、５２９６において導通トーンが印加され、５２９８においてＣＯＴタイマがスタートし、処理は５３００に進む。
５３００（図３１Ｃ）において、処理はｍｕｘからのステータスメッセージを待つ。５３０２において受け入れのメッセージ（試験が完了し、トーンが除去され、エコーキャンセラがイネーブルになったということを示す）が受け取られる場合には、５３０４においてＣＯＴタイマがストップする。５３０６において受け入れを示すメッセージがＢＣＭに送られ、５３０８において空きに至る。５３１０において拒絶のメッセージ（試験が完了し、トーンが除去され、エコーキャンセラがイネーブルになったということを示す）が受け取られる場合には、５３１２においてＣＯＴタイマがストップする。５３１４において拒絶を示すメッセージがＢＣＭに送られ、５３１６において空きに至る。５３１８においてＣＯＴタイマが終わると、５３２０においてメンテナンスに通知され、５３２２においてＣＯＴ情報再送信がｍｕｘから要求される。５３２４においてＣＯＴタイマがスタートし、５３２６においてｍｕｘからのメッセージが待たれる。５３２８（図３１Ｄ）においてＣＯＴタイマが終わると、５３３０においてメンテナンスに通知され、５３３２において空きに至る。５３３８において受け入れのメッセージ（試験が完了し、トーンが除去され、エコーキャンセラがイネーブルになったということを示す）が受け取られる場合には、５３４０においてＣＯＴタイマがストップする。５３４２において受け入れを示すメッセージがＢＣＭに送られ、５３４４において空きに至る。５３４６において拒絶のメッセージ（試験が完了し、トーンが除去され、エコーキャンセラがイネーブルになったということを示す）が受け取られる場合には、５３４８においてＣＯＴタイマがストップする。５３５０において拒絶を示すメッセージがＢＣＭに送られ、５３５２において空きに至る。
図３２Ａ−３２Ｂは、ｍｕｘ／エコー開放処理を示す。５３６０（図３２Ａ）においてｍｕｘ／エコー開放処理は空きである。５３６２において開放せよというメッセージが受け取られ、５３６４においてメッセージがｍｕｘに送られる。５３６６においてｍｕｘタイマがスタートし、５３６８において応答が待たれる。５３７０においてｍｕｘタイマが終わると、５３７２においてメンテナンスに通知され、５３７４においてｍｕｘメッセージが再送される。５３７６（図３２Ｂ）において、ｍｕｘタイマが再スタートし、５３８０において応答が待たれる。５３８２においてｍｕｘの応答が決定される。ｍｕｘの応答が拒絶である場合には、５３８４においてメンテナンスに通知される。５３８６において中継回線テーブル内で回線にブロックされたという印をつけ、５３８８においてメッセージがブロッキング処理に送られる。５３９０において空きに至る。５３８２においてメッセージが受け入れである場合には、５３９２において回線に空きの印をつけ、５３９４において空きに至る。５３９６においてメッセージがｍｕｘから受け取られる場合には、５３９８においてｍｕｘの応答が決定される。ｍｕｘの応答が拒絶である場合には、５４００においてメンテナンスに通知される。５４０２において中継回線テーブル内で回線にブロックされたという印をつけ、５４０４においてメッセージがブロッキング処理に送られる。５４０６において空きに至る。５３９８においてメッセージが受け入れである場合には、５４０８において回線に空きの印をつけ、５４１０において空きに至る。
当業者であれば、本発明の範囲から逸脱しない上記開示の変形を理解しよう。そのようなものとして、本発明は以下の請求の範囲の範囲および意味によって判断されるべきである。
【図１】
0003895780.tif 000002
【図２】
0003895780.tif 000003
【図３】
0003895780.tif 000004
【図４】
0003895780.tif 000005
【図５】
0003895780.tif 000006
【図６】
0003895780.tif 000007
【図７】
0003895780.tif 000008
【図８】
0003895780.tif 000009
【図９】
0003895780.tif 000010
【図１０】
0003895780.tif 000011
【図１１】
0003895780.tif 000012
【図１２】
0003895780.tif 000013
【図１３】
0003895780.tif 000014
【図１４】
0003895780.tif 000015
【図１５】
0003895780.tif 000016
【図１６Ａ】
0003895780.tif 000017
【図１６Ｂ】
0003895780.tif 000018
【図１６Ｃ】
0003895780.tif 000019
【図１６Ｄ】
0003895780.tif 000020
【図１６Ｅ】
0003895780.tif 000021
【図１６Ｆ】
0003895780.tif 000022
【図１６Ｇ】
0003895780.tif 000023
【図１６Ｈ】
0003895780.tif 000024
【図１６Ｉ】
0003895780.tif 000025
【図１６Ｊ】
0003895780.tif 000026
【図１６Ｋ】
0003895780.tif 000027
【図１６Ｌ】
0003895780.tif 000028
【図１６Ｍ】
0003895780.tif 000029
【図１６Ｎ】
0003895780.tif 000030
【図１６Ｏ】
0003895780.tif 000031
【図１６Ｐ】
0003895780.tif 000032
【図１７Ａ】
0003895780.tif 000033
【図１７Ｂ】
0003895780.tif 000034
【図１７Ｃ】
0003895780.tif 000035
【図１７Ｄ】
0003895780.tif 000036
【図１７Ｅ】
0003895780.tif 000037
【図１８Ａ】
0003895780.tif 000038
【図１８Ｂ】
0003895780.tif 000039
【図１８Ｃ】
0003895780.tif 000040
【図１８Ｄ】
0003895780.tif 000041
【図１８Ｅ】
0003895780.tif 000042
【図１８Ｆ】
0003895780.tif 000043
【図１９Ａ】
0003895780.tif 000044
【図１９Ｂ】
0003895780.tif 000045
【図１９Ｃ】
0003895780.tif 000046
【図２０Ａ】
0003895780.tif 000047
【図２０Ｂ】
0003895780.tif 000048
【図２０Ｃ】
0003895780.tif 000049
【図２０Ｄ】
0003895780.tif 000050
【図２１Ａ】
0003895780.tif 000051
【図２１Ｂ】
0003895780.tif 000052
【図２１Ｃ】
0003895780.tif 000053
【図２１Ｄ】
0003895780.tif 000054
【図２２Ａ】
0003895780.tif 000055
【図２２Ｂ】
0003895780.tif 000056
【図２２Ｃ】
0003895780.tif 000057
【図２２Ｄ】
0003895780.tif 000058
【図２２Ｅ】
0003895780.tif 000059
【図２２Ｆ】
0003895780.tif 000060
【図２２Ｇ】
0003895780.tif 000061
【図２２Ｈ】
0003895780.tif 000062
【図２２Ｉ】
0003895780.tif 000063
【図２２Ｊ】
0003895780.tif 000064
【図２２Ｋ】
0003895780.tif 000065
【図２２Ｌ】
0003895780.tif 000066
【図２２Ｍ】
0003895780.tif 000067
【図２２Ｎ】
0003895780.tif 000068
【図２２Ｏ】
0003895780.tif 000069
【図２２Ｐ】
0003895780.tif 000070
【図２２Ｑ】
0003895780.tif 000071
【図２３Ａ】
0003895780.tif 000072
【図２３Ｂ】
0003895780.tif 000073
【図２３Ｃ】
0003895780.tif 000074
【図２３Ｄ】
0003895780.tif 000075
【図２３Ｅ】
0003895780.tif 000076
【図２３Ｆ】
0003895780.tif 000077
【図２３Ｇ】
0003895780.tif 000078
【図２３Ｈ】
0003895780.tif 000079
【図２３Ｉ】
0003895780.tif 000080
【図２３Ｊ】
0003895780.tif 000081
【図２３Ｋ】
0003895780.tif 000082
【図２３Ｌ】
0003895780.tif 000083
【図２３Ｍ】
0003895780.tif 000084
【図２３Ｎ】
0003895780.tif 000085
【図２３Ｏ】
0003895780.tif 000086
【図２３Ｐ】
0003895780.tif 000087
【図２３Ｑ】
0003895780.tif 000088
【図２３Ｒ】
0003895780.tif 000089
【図２３Ｓ】
0003895780.tif 000090
【図２３Ｔ】
0003895780.tif 000091
【図２４Ａ】
0003895780.tif 000092
【図２４Ｂ】
0003895780.tif 000093
【図２４Ｃ】
0003895780.tif 000094
【図２４Ｄ】
0003895780.tif 000095
【図２４Ｅ】
0003895780.tif 000096
【図２４Ｆ】
0003895780.tif 000097
【図２４Ｇ】
0003895780.tif 000098
【図２４Ｈ】
0003895780.tif 000099
【図２４Ｉ】
0003895780.tif 000100
【図２４Ｊ】
0003895780.tif 000101
【図２４Ｋ】
0003895780.tif 000102
【図２４Ｌ】
0003895780.tif 000103
【図２４Ｍ】
0003895780.tif 000104
【図２５Ａ】
0003895780.tif 000105
【図２５Ｂ】
0003895780.tif 000106
【図２６Ａ】
0003895780.tif 000107
【図２６Ｂ】
0003895780.tif 000108
【図２７Ａ】
0003895780.tif 000109
【図２７Ｂ】
0003895780.tif 000110
【図２７Ｃ】
0003895780.tif 000111
【図２７Ｄ】
0003895780.tif 000112
【図２８Ａ】
0003895780.tif 000113
【図２８Ｂ】
0003895780.tif 000114
【図２９Ａ】
0003895780.tif 000115
【図２９Ｂ】
0003895780.tif 000116
【図２９Ｃ】
0003895780.tif 000117
【図３０Ａ】
0003895780.tif 000118
【図３０Ｂ】
0003895780.tif 000119
【図３０Ｃ】
0003895780.tif 000120
【図３０Ｄ】
0003895780.tif 000121
【図３０Ｅ】
0003895780.tif 000122
【図３０Ｆ】
0003895780.tif 000123
【図３０Ｇ】
0003895780.tif 000124
【図３０Ｈ】
0003895780.tif 000125
【図３０Ｉ】
0003895780.tif 000126
【図３０Ｊ】
0003895780.tif 000127
【図３０Ｋ】
0003895780.tif 000128
【図３０Ｌ】
0003895780.tif 000129
【図３１Ａ】
0003895780.tif 000130
【図３１Ｂ】
0003895780.tif 000131
【図３１Ｃ】
0003895780.tif 000132
【図３１Ｄ】
0003895780.tif 000133
【図３２Ａ】
0003895780.tif 000134
【図３２Ｂ】
0003895780.tif 000135